(57)【要約】  無線アクセスネットワーク内の無線ノード（１０，１００）を動作する方法が開示されており、無線ノード（１０，１００）は無線処理に基づく受信ビームフォーミングに適合している。方法は、無線処理のパラメータ化に基づくリンク適応を実行することを含む。本開示はまた、関連する方法および装置にも関する。【選択図】図１
2021501498.tif 000002
【特許請求の範囲】
【請求項１】
無線アクセスネットワーク内の無線ノード（１０，１００）を動作する方法であって、前記無線ノード（１０，１００）は無線処理に基づく受信ビームフォーミングに適合しており、前記方法は、前記無線処理のパラメータ化に基づくリンク適応を実行すること、を含む方法。
【請求項２】
無線アクセスネットワークの無線ノード（１０，１００）であって、前記無線ノード（１０，１００）は無線処理に基づく受信ビームフォーミングに適合しており、前記無線ノード（１０，１００）は、前記無線処理のパラメータ化に基づくリンク適応の実行にさらに適合している無線ノード。
【請求項３】
無線アクセスネットワーク内の無線ノード（１０，１００）を動作する方法であって、前記無線ノード（１０，１００）は無線処理に基づく受信ビームフォーミングに適合しており、前記方法は、前記無線ノード（１０，１００）によって実行されるリンク適応のパラメータ化に基づいて無線処理を実行すること、を含む方法。
【請求項４】
無線アクセスネットワークの無線ノード（１０，１００）であって、前記無線ノード（１０，１００）は無線処理に基づく受信ビームフォーミングに適合しており、前記無線ノード（１０，１００）は、前記無線ノード（１０，１００）によって実行されるリンク適応のパラメータ化に基づく無線処理の実行にさらに適合している無線ノード。
【請求項５】
リンク適応の実行は、変調および符号化スキームおよび／または伝送フォーマットでターゲット無線ノードを構成することを含む、先行する請求項の何れか１項に従う方法または装置。
【請求項６】
無線処理は、受信されたシグナリングをビーム空間に変換すること、および／または、定義された受信ビームのセットからのビーム選択を実行すること、を含む、先行する請求項の何れか１項に従う方法または装置。
【請求項７】
無線処理のパラメータ化は、適用される変換、および／または、受信ビームの選択、および／または、選択された受信ビームの数、および／または、パラメータおよび／またはビームの組み合わせの方法、をパラメータ化する、先行する請求項の何れか１項に従う方法または装置。
【請求項８】
リンク適応のパラメータ化は、例えば、テーブルを示すことおよび／またはインデックス化すること、および／または、変調を示すこと、および／または、符号化を示すこと、および／または、変調および符号化スキームを示すこと、によって、伝送フォーマット、および／または、変調、および／または、符号化をパラメータ化する、先行する請求項の何れか１項に従う方法または装置。
【請求項９】
無線処理は、受信特性に基づく定義された受信ビームのセットからのビーム選択を実行することを含み、前記受信特性は信号品質および／またはエラーレートに関連し得る、先行する請求項の何れか１項に従う方法または装置。
【請求項１０】
請求項１、３、５乃至９の何れか１項に従う方法を、処理回路に制御および／または実行させる命令を含むプログラム。
【請求項１１】
請求項１０に記載のプログラムを担持および／または担持する搬送媒体構成。
【発明の詳細な説明】
【技術分野】
【０００１】
本開示は、無線通信技術、特に、ＬＴＥエボリューションまたはニューラジオ（ＮＲ）のような５Ｇ技術に関する。
【背景技術】
【０００２】
最近の無線通信システムでは、複数のアンテナやアンテナアレイを利用した技術が普及してきており、送信のためのビームフォーミング（送信ビームフォーミング）だけでなく、受信のためのビームフォーミング（受信ビームフォーミング）も利用できるようになってきている。しかし、大量のビームを扱うには計算量が多くなり、貴重な時間を費やすことになり得る。
【０００３】
そのため、ビーム、特に受信ビームの扱い方の改善が必要とされている。
【発明の概要】
【０００４】
本開示の目的は、受信ビームフォーミングの文脈における改善を容易にするアプローチを提供することである。受信ビームの選択的使用、それぞれ受信ビーム形成のために実行される無線処理、およびリンク適応（例えば、変調および符号化スキーム（ＭＣＳ）の動的構成）は、有利には相互に接続され得ることが認識されている。本発明のアプローチは、第５世代（５Ｇ）通信ネットワークまたは５Ｇ無線アクセス技術またはネットワーク（ＲＡＴ／ＲＡＮ）における実装に特に適しており、特に３ＧＰＰ（第３世代パートナーシッププロジェクト、標準化組織）に従っている。好適なＲＡＮは、特に、ＮＲ、例えばリリース１５以降のＲＡＮ、またはＬＴＥエボリューションに従ったＲＡＮであってもよい。アプローチは、特に、ＭＩＭＯ、例えば、ＭＵ−ＭＩＭＯおよび／またはマッシブＭＩＭＯ（またはＶＬ−ＭＩＭＯ）を利用および／または適応させた無線ノードに対して実施され得る。特に、ビームフォーミングは、ＭＩＭＯベースであり得る。
【０００５】
無線アクセスネットワーク内の無線ノードを動作する方法が開示されており、無線ノードは無線処理に基づく受信ビームフォーミングに適合している。方法は、無線処理のパラメータ化に基づくリンク適応を実行することを含む。
【０００６】
また、無線アクセスネットワークの無線ノードについても議論されている。無線ノードは無線処理に基づく受信ビームフォーミングの実行に適合している。無線ノードは、無線処理のパラメータ化に基づくリンク適応の実行にさらに適合している。無線ノードは、リンク適応および／またはビームフォーミングを実行するために、処理回路および／または無線回路を構成し、および／またはそれを利用するように適合していると考えられ得る。代替的に、または追加的に、無線ノードは、例えば、無線処理および／またはリンク適応をそれぞれ実行するために、対応する無線処理モジュールおよび／または対応するリンク適応モジュールを構成し得る。
【０００７】
さらに、無線アクセスネットワークにおける（例えば、第２の）無線ノードを動作させる方法が考えられる。この（第２の）無線ノードは、無線処理に基づいて受信ビームフォーミングを行うように適合している。方法は、（第２の）無線ノードによって実行されるリンク適応のパラメータ化に基づいて無線処理を実行することを含む。（第２の）無線ノードを動作させる方法は、本明細書に記載の無線ノードを動作させる方法のいずれかと組み合わせて実施され得、特に、無線処理のパラメータ化に基づくリンク適応を実行することと組み合わせて実施され得る。
【０００８】
無線アクセスネットワークの（第２の）無線ノードが提案されており、無線ノードは、無線処理に基づく受信ビームフォーミングの実行に適合している。（第２の）無線ノードは、さらに、（第２の）無線ノードによって実行されるリンク適応のパラメータ化に基づき無線処理を実行するように適合している。（第２の）無線ノードは、リンク適応および／またはビームフォーミングを実行するために、処理回路および／または無線回路を構成し、および／またはそれを利用するように適合していると考えられる。代替的に、または追加的に、無線ノードは、例えば、無線処理および／またはリンク適応を実行するために、それぞれ対応する無線処理モジュールおよび／または対応するリンク適応モジュールを構成し得る。（第２の）無線ノードは、本明細書に記載された任意の無線ノードの特徴と組み合わせて実装され得る。回路は、共有されていてもよいし、分散されていてもよい。
【０００９】
無線ノードは、ネットワークノード、特に基地局またはｅＮｏｄｅＢまたはｇＮｏｄｅＢであり得る。いくつかの変形例では、無線ノードは、ユーザ装置として実装され得る。リンク適応を実行することは、変調および符号化スキーム（例えば、ＭＣＳ）および／または伝送フォーマットでターゲット無線ノードを構成することを含み得る。そのようなフォーマットまたはスキームは、ターゲット無線ノードによる受信および／または送信のためのものであり得る。代替的に、または追加的に、リンク適応を実行することは、無線ノード自体をＭＣＳおよび／または伝送フォーマットで構成することを含む場合がある。ターゲット無線ノードは、一般にユーザ装置であり得る。しかし、いくつかの変形例では、それはネットワークノードであり得、例えば、それを構成する無線ノードがユーザ装置である場合には、それはネットワークノードであり得る。受信ビームは、無線ノードがネットワークノードである場合、アップリンクシグナリングを受信し得る。無線ノードがユーザ装置である場合、受信ビームは、ダウンリンクおよび／またはサイドリンクシグナリングを受信するためのものであり得る。無線ノード、特にネットワークノードは、１つの装置またはハウジングまたはラックに統合されていてもよく、または複数に分散されていてもよく、これらは適切なインターフェースおよび／またはケーブルおよび／または配線を介して接続されていてもよく、または接続可能であってもよい。
【００１０】
無線処理は、一般に、受信されたシグナリングをビーム空間に変換すること、および／または、定義された受信ビームのセットからのビーム選択を実行すること、例えば、予め定義され得るビームのセットから１つ以上のビームを選択することを含み得る。シグナリングをビーム空間に変換することは、空間変換、および／または、異なるアンテナおよび／またはアンテナエレメントおよび／またはアンテナグループで受信されたシグナリングを、例えば、位相および／または到達時間に基づいて、１つ以上のビームにマッピングすることを含み得る。
【００１１】
無線処理のパラメータ化は、適用されるビーム変換、および／または受信ビームの選択、および／または選択された受信ビームの数、および／またはパラメータおよび／またはビームの組み合わせの方法、をパラメータ化し得る。無線処理のパラメータ化は、一般に、無線処理プロセスおよび／または関連するモジュールおよび／または回路および／または装置によって提供され得る。いくつかの変形例では、無線処理のパラメータ化は、好ましい伝送フォーマットを示すおよび／または表すことができる。あるいは、無線処理のパラメータ化の代わりに、好ましい伝送フォーマットの表示が使用され得る。
【００１２】
一般に、リンク適応のパラメータ化は、伝送フォーマットおよび／または変調および／または符号化をパラメータ化してもよく、例えば、テーブルを示すことおよび／またはインデックス化すること、および／または、変調を示すこと、および／または、符号化を示すこと、および／または、変調および符号化スキームを示すこと、によって、パラメータ化してもよい。リンク適応のパラメータ化は、一般に、リンク適応プロセスおよび／または関連するモジュールおよび／または回路および／または装置によって提供され得る。いくつかの変形例では、リンク適応のパラメータ化は、好ましい無線処理、例えばビーム選択および／またはビーム空間変換を示すおよび／または表すことができる。あるいは、リンク適応のパラメータ化の代わりに、好ましい無線処理の表示が使用され得る。
【００１３】
無線処理は、例えば受信特性に基づく定義された受信ビームのセットからビーム選択を実行することを含み得る。受信特性は、特に、信号品質および／またはエラーレート、例えば、ＳＩＲおよび／またはＳＩＮＲおよび／またはＳＮＲおよび／またはＢＬＥＲおよび／またはＢＥＲに関係し得る。処理回路および／または無線回路は、集中的に実装されてもよく、または分散的に実装されてもよく、例えば、異なる装置および／またはパッケージ内に実装されてもよい。特に、リンク適応を実行することに関連する回路および／または装置は、分散されていてもよく、および／または無線処理に関連する回路とは異なるものであってもよい。回路および／または装置は、適切なインタフェースを介して、および／または中間装置を介して接続されてもよい。
【００１４】
また、本明細書に記載された方法のいずれかを制御および／または実行するように処理回路を引き起こす命令からなるプログラム製品も開示されている。
【００１５】
さらに、本明細書に記載されているようなプログラム製品を担持するおよび／または格納する担持媒体構成が考えられる。
【００１６】
伝送フォーマットは、例えば、変調方式、および／または符号化、および／または伝送モード、および／またはビーム形成セットアップ（例えば、使用するアンテナまたはアンテナエレメントの数）、および／または伝送のランクおよび／またはレイヤに対応してもよい。それは、シグナリングの送信、および／または、例えば、無線ノードおよび／またはターゲット無線ノードによる受信に関係してもよい。
【００１７】
ビーム形成またはビーム選択のようなリンク適応および／または無線処理は、周波数範囲、例えば１つ以上のキャリア、および／または関連する帯域幅または帯域幅部分に関係してもよく、および／またはヌメロロジーに依存してもよい。周波数範囲および／またはヌメロロジーは、１ＧＨｚ以上、２ＧＨｚ以上、５ＧＨｚ以上、または６ＧＨｚ以上（より高い周波数を指す）をカバーするように構成されていてもよく、および／またはそれに付随していてもよい。高周波用のアンテナエレメントは比較的小さくすることができるので、スペースの限られた装置にも比較的多くの数を取り付けることができ、ビーム形成の特に効率的な利用を容易にすることができる。しかしながら、記載されたアプローチは、例えば、ビームフォーミングのために利用可能なアンテナ構成に応じて、より低い周波数についても実施され得る。ビームフォーミングは、特に、受信アンテナにおいて複数のシグナリングが重なり合うことによって生じる可能性のある入射放射場からビームを形成する受信ビームフォーミングであってもよい。
【００１８】
一般に、パラメータ化は、パラメータのセットに含まれてもよいパラメータ、例えば、値および／または重みなどの、１つまたは複数のパラメータを含にでもよいし、および／または示されてもよい。
【００１９】
１つ以上のビームを選択することは、無線処理および／またはビームのさらなる処理を実行することを含んでもよく、および／またはそれに基づいてもよい。処理は、ビームで受信されたシグナリングを復調および／または復号化すること、および／または特定のタイプのシグナリング（例えば、スケジュール通りに、および／または特定のチャネルへのシグナリング）と関連付けることを含んでもよい。
【００２０】
異なるビームは、トポロジーおよび／または形状および／または角度および／または空間的な拡張および／または方向および／またはサイズ、および／またはリソース、特に時間および／または周波数リソースに関して異なっていてもよい。場合によっては、異なるビームは、例えば、角度／空間的な拡張、および／または時間／周波数において重複してもよく、または完全に異なるものであってもよい。セットのビームは、一般的に、例えば、伝送時間間隔または／またはスロットまたはサブフレームのような同じ伝送タイミング構造内で、時間シフトされていると考えられてもよい。マルチパス伝搬のために、送信機からのシグナリングは、たとえそれらが重複していなくても、異なるビームで受信されてもよいことに留意すべきである。
【００２１】
ビームのセットは、複数のビーム、特に、２以上、４以上、８以上、１０以上、１２以上、１６以上、または２０以上、または５０以上のビームで構成されてもよい。セットは、特定の時間間隔に関連していてもよく、および／または、その間隔に使用され、および／または定義され、および／または構成されたビーム、例えば、伝送時間間隔および／または伝送タイミング構造から構成されていてもよい。ビームまたはビームのセットは、例えば、時間間隔内で、例えば、ビームスイッチングおよび／またはビームスイープによって、時間経過とともに変化してもよい。時間間隔は、例えば、送信タイミング構造であってもよい。受信ビームのセットは、（受信）ビームフォーミングによって定義または形成された受信ビームであってもよい。受信ビームのセットは、例えば、受信無線ノードの位置に基づいて定義されてもよく、および／または、例えば、動作中に構成されてもよいし、構成可能であってもよい。動作中には、セットからの選択が有用であるかもしれないような、さらなる処理のためにすべてのビームを使用することは必要ではないかもしれないし、効率的ではないかもしれない。
【００２２】
１つ以上のビームを選択することは、ビームのサブセットを選択することを含んでもよく、サブセットは、セットよりも小さく、および／またはセットのすべてのビームではないビームを含みおよび／または構成される。このように、サブセットは、セットの真のサブセットまたは限定されたサブセットと見なされてもよい。ビーム選択は、一般に、圧縮の一形態、例えば空間圧縮と見なされてもよい。
【００２３】
無線処理および／またはリンク適応は、例えば、特定のサービスおよび／または無線ベアラおよび／またはターゲット無線ノードに対して示されるように、サービスの品質要件に基づいて実行されてもよい。
【００２４】
ビームフォーミングは、一般に、（送信のための）指向性の放射ビームを生成するために、または受信ビームに従って、例えばタイミングおよび／または位相に基づいて、入射する放射フィールドの（特に空間角度に関して、指向性および／または角度）カットアウトを提供するために、アンテナ構成に関連付けられていてもよい独立して制御可能なアンテナエレメントおよび／またはアレイ（またはサブアレイ／パネル）を利用することを含んでもよい。ビームは、複雑な形状を有してもよく、例えば、それは、それを定義するために使用されるアンテナエレメント／アレイの数に応じて、複数のローブを有してもよく、および／または不規則であってもよい。受信ビームフォーミングは、それに適応されてもよく、および／または総受信信号または受信放射場に基づいて実行されてもよいビームフォーミング回路によって実行されてもよい。実施形態によっては、ビームフォーミング回路は、処理回路、および／またはアンテナ回路および／または無線回路であってもよく、または別々に実装されてもよい。アンテナ構成は、独立して制御可能な複数の異なるアンテナエレメントおよび／またはアレイ（またはサブアレイ、例えばパネル）から構成されていてもよい。受信ビームフォーミングのために独立して制御可能であることは、受信放射場を表す信号（例えば、アンテナエレメントまたはアレイに関連付けられたＡＤＣおよび／または増幅器によって出力される）が、異なるアレイおよび／またはアンテナエレメントに関連付けられた他のそのような装置からの信号から独立して処理（評価）され得ることを意味すると考えられてもよい。受信ビームフォーミングはビーム空間変換を含んでもよく、この場合、アンテナ構成からの信号、特に異なる独立して制御可能なアンテナエレメントまたはサブアレイまたはアレイからの信号は、ビーム空間表現においてビームのセットを定義するためにマッピングされる。アンテナ構成は、少なくとも１０個、少なくとも２０個、少なくとも５０個、または少なくとも７０個の独立して制御可能なアンテナエレメントまたはアレイまたはサブアレイ、例えばパネルから構成されていてもよい。いくつかの変形例では、アンテナエレメントは、（異なる）サブアレイに構成的に関連付けられていてもよい。異なるアンテナエレメントおよび／またはサブアレイまたはアレイからの信号は、例えばビーム形成および／または空間変換のための結合スキームに従って、異なる方法で結合されてもよい。
【図面の簡単な説明】
【００２５】
図面は、本明細書に記載された概念およびアプローチを説明するために提供され、その範囲を限定することを意図していない。図面は、以下を含む：
【００２６】
【図１】無線ノードを動作するアルゴリズムの例示的なフローチャートを示す。
【図２】例示的な無線ノードを示す。
【図３】例示的な無線ノードの構成を示す。
【図４】ユーザ装置として実装された例示的な無線ノードを示す。
【図５】ネットワークノードとして実装された例示的な無線ノードを示す。
【発明を実施するための形態】
【００２７】
リンク適応（ＬＡ）は、伝送に使用する変調および符号化スキーム（ＭＣＳ）を決定するプロセスを含んでいてもよい。これは、将来の結果のために使用する最も適切な変調の予測と考えてもよい。典型的には、ＳＩＮＲのようなメトリクスが、信号品質をパケットの復号エラー確率にマッピングするために使用される。さらに、信号品質予測に加えて、所定の伝送の復号成功（または失敗）を通知するためにフィードバックループを導入することができる。
【００２８】
リンク適応に影響を与えるいくつかの観察結果を以下にまとめられる：
パケットの復号確率はパケットの実際の信号品質に依存するが、利用可能な情報は推定品質に過ぎない。推定または予測の精度は、効率のために重要であるかもしれない。
ＳＩＮＲ推定品質は、例えば受信ポート上の受信シグナリングのチャネル（及び共分散）推定品質にリンクしている。ポートのノイズが多いほどチャネル推定が悪くなるため、推定されたＳＩＮＲはあまり信頼性が高くないかもしれない。
マルチユーザＭＩＭＯのＳＩＮＲ推定は、全ての共同スケジュールされたユーザシグナリングの他に、１つの信号を増強するためのコンバイナの品質や、干渉を拒絶するためのコンバイナの品質にも左右される。マルチアンテナシステムは、特定の空間領域に向けて焦点を絞った信号の送信を可能にする。これにより、ビーム（「ビームフォーミング」）が生成され、そのカバレッジは、非ビームフォーミング信号を使用した送信を超えることができるが、カバレッジ（角度／空間）は狭くなる。これは、距離と角度カバレージの間の典型的なトレードオフである。５Ｇ／ＮＲでは、無線デバイスは多数のアンテナ（「マッシブＭＩＭＯ」）で動作することが期待されており、柔軟性と非常に狭いビーム（非常に大きなフォーカス利得）を提供する可能性がある。マッシブＭＩＭＯは、完全にコヒーレントかつ適応的に動作可能な非常に多数のサービスアンテナまたはアンテナ（サブ）アレイを使用することにより、現在の慣行とは一線を画している。
空間変換は、ビームゲインを提供するために異なる方向に焦点を合わせるために受信したシグナリングを結合する、例えば無線処理の一部としてのビームフォーミング（前）処理を導入する。いくつかのビームは、受信シグナリングの大部分を集中させ、他のビームは大部分がノイズによって支配される。
空間ビームのサブ選択はまた、受信ポートの数を減らし、最悪の信号を除去することによって、ベースバンドによる信号知覚を歪める。
【００２９】
空間変換、特に受信ビームフォーミングのための空間変換は、後続の処理がビーム空間で実行されてもよい無線ノードのために考慮されてもよい。
【００３０】
伝統的に、ＬＡはＭＣＳインデックスとＳＩＮＲターゲット間の単一のルックアップテーブルに基づいている。このテーブルは、特定のＢＬＥＲ要件（音声など）に基づいており、様々なユースケースに適応していない。現行システムの伝送のほとんどは音声を伝送しないため、現行のＬＡルックアップテーブルを使用することは、例えばキャパシティの最適化には最適ではない。所与の受信システムの組み合わせ（ビーム空間、ビーム選択後に保持されるビーム数、ユーザ相関、結合方法）について推定されたＳＩＮＲは、他のシステムと比較して同じ誤差確率を与えていない。したがって、独自のルックアップテーブルまたはマッピングを適用すると、一般的に性能不足のシステムになる可能性がある。
【００３１】
リンク適応、特に変調および符号化スキームは、スループットに大きな影響を与える可能性がある。特に、ＭＣＳは、どのくらいのビット、例えば、システムビットまたは情報ビットが各シンボルによって運ばれるかを決定してもよい。この数が高いほど、システムのスループットは良好である。一方、より高いレートのＭＣＳは、通常、干渉または悪い伝送条件の影響を受けやすい。
【００３２】
所与のＭＣＳの復号性能は、ビーム空間変換に使用される方法や、保持される次元の数、例えば、ビーム空間変換やビーム選択に依存して、大きく異なる場合がある。したがって、リンク適応のために誤った参照モデルを使用することは、復号エラーまたは準最適なリソース使用につながる可能性がある。いくつかの例では、過小評価（例えば、最大３ｄＢの差）は、低すぎるビットレートまたはインデックスを有するＭＣＳ（例えば、ＭＣＳインデックスが３または４より高い可能性があり、それ故により良いスループットを有する伝送フォーマット）につながる可能性がある。１ｄＢであっても過大評価は、与えられたＭＣＳの成功のチャンスを劇的に損なう可能性があり、例えば、高いＢＬＥＲのような高いエラーレートにつながる。
【００３３】
伝送フォーマットの選択を、使用される無線処理アルゴリズムおよびパラメータ、例えば無線処理のパラメータ化に適応させることが提案されている。例えば、無線処理（例えば、対応する回路および／またはプログラム）は、正しい伝送フォーマットを選択できるように、関連情報、例えば、無線処理のパラメータ化を示す情報を、例えば、リンク適応（例えば、対応する回路および／またはプログラム）に提供してもよい。代替的に、または追加的に、リンク適応は、例えば、好ましい無線処理アルゴリズムおよびパラメータを示すパラメータ化を無線処理に通知することができる。
【００３４】
本明細書に記載されたアプローチは、各サービス内容および要件に基づいて改善された伝送を可能にする動的適応を可能にする。再送量の最小化が促進されてもよい。さらに、ネットワーク全体の性能を最適化するのに適したリンク適応が提供される。
【００３５】
サービスの種類および／または無線処理のパラメータ化、特に空間変換（ビーム空間変換）および／または空間圧縮（ビーム選択）に関連する情報をリンク適応スキームの入力として用いる、拡張リンク適応スキームが提案されている。空間変換および／またはビーム空間変換に関する情報またはパラメータ化は、一般的に、形成された受信ビーム、例えば（予め定義された）ビームのセットを表すおよび／または示すおよび／またはパラメータ化すると考えられてもよい。空間圧縮および／またはビーム選択の情報またはパラメータ化は、一般的に、ビームのセットから選択された１つ以上のビームを表すおよび／または示すおよび／またはパラメータ化すると考えられてもよい。スケジューリングされたストリーム／レイヤの現在の数およびこれらで使用されるサービスの知識が、計画された空間変換方法および空間圧縮のレベルとともに与えられると、適切な伝送フォーマットの選択が促進される。リンク適応を知らせる無線処理、またはその逆は、無線処理およびリンク適応のためにそれぞれ適合されたモジュールおよび／または装置（および任意で１つ以上の中間装置および／またはモジュール）の間に配置された１つ以上のインタフェースを介して対応する情報を提供することを含むことがある。
【００３６】
伝送フォーマットの選択（例えば、リンク適応、および／またはＭＣＳの選択）は、空間処理および前処理に基づいてもよい。システムの前処理設定は、固定（例えば、ネットワークまたはサイト依存）であってもよいし、動的に変更されてもよい。リンク適応は、例えば、１つ以上のシステム固有のテーブルに基づいて、次に、例えば、ＱｏＳ要件に応じて（最適な）伝送形式を選択してもよい。
【００３７】
アプリケーションに応じて、リンク適応は、トラフィック要件（例えば、例示的なＱｏＳ要件と考えられる所定のＢＬＥＲターゲットまたはデータレートターゲット）に一致するＭＣＳを選択してもよい。各ＭＣＳおよび各無線受信機についての詳細なＢＬＥＲとＳＩＮＲの性能情報を有することは、ＬＡを最適化してもよい。
【００３８】
代替的に、または追加的に、無線処理、例えば無線処理を実行する無線ユニットおよび／またはベースバンドユニットは、無線処理パラメータ化、例えば変換および／または圧縮方法および／または関連パラメータのリンク適応（例えば、そのようなことを実行する装置またはユニットまたは回路）を通知してもよい。このような解決策は、動的に変化するシステムに対して特に有用であり得る。無線機から渡される情報（無線処理のパラメータ化を示す）は、例えば、（これに限定されないが）以下を示すことができる：
適用された空間変換（例えば、ＳＶＤ、ＤＦＴ、コードブック、．．．）；  および／または、
ビームを選択し、および／または圧縮を行うために使用される方法；  および／または、
選択されたビームの数；  および／または、
使用される結合方法（例えば、ＩＲＣ、ＭＲＣ、ハイブリッド、．．．）。
【００３９】
代替的に、または追加的に、性能対信号品質マッピング情報は、例えばオフライン計算、シミュレーション、分析などに基づいて予め決定されてもよい。そのような情報は、リンク適応を無線処理および／またはその逆にマッピングしてもよく、および／または対応するパラメータ化に関係してもよい。
【００４０】
代替的に、または追加的に、性能対信号品質のマッピングは、例えば、各無線処理の組み合わせ／パラメータ化に対して動的に得られるか、または更新されてもよい。これは、例えば、ビーム選択が時間的に、例えば送信タイミング構造間で、または一定または変化する時間間隔で適応される場合など、動的なシステムにとって特に有用である。例えば、無線処理、例えば対応するユニット（複数可）は、処理されたデータおよび推定ＳＩＮＲのそれぞれ（またはそのサブサンプル）について使用された処理方法およびパラメータをフィードバック（通知）してもよい。復号ユニットは、復号成功（または失敗）情報をフィードバックしてもよい。各パラメータおよび各ＳＩＮＲについての統計情報は、各システムパラメータおよび推定ＳＩＮＲの成功確率を決定するために記憶され、更新されてもよい。
【００４１】
更新プロセスは、別個のタイプのサービス、データ伝送、音声など（または、より高次のアプリケーションに基づいてさらに詳細に）のために動的に更新されてもよい。
【００４２】
リンク適応は、方法とパラメータの組み合わせを使用してもよく、対応するパラメータ化を無線処理、例えば対応するユニットにフィードバックしてもよい。したがって、ＭＣＳ選択において選択された仮説は、一致してもよい。リンク適応と無線処理との間の適切な通信チャネルおよび／またはインターフェース、例えば空間変換／サブ選択および結合ユニットが提供されてもよい。
【００４３】
無線処理は、１つ以上のユニットおよび／または装置および／またはモジュールおよび／または回路／装置（以下では、参照を容易にするために単に装置と呼ぶことがある）で実行されてもよく、これらは、統合的に実装されていてもよく、分散的に実装されていてもよく、またはそれらの組み合わせで実行されてもよいことに留意すべきである。
【００４４】
図１は、無線ノードを動作させる例示的なアルゴリズムまたは方法のフローチャートを示す。動作Ｓ１０において、無線処理情報、例えば無線処理のパラメータ化を表す情報が、例えば無線処理ユニットまたは装置またはモジュールによって提供されてもよい。この情報に基づいて、ＳＩＮＲからＢＬＥＲへの適切なマッピングが、例えば、１つ以上のテーブルに基づいて選択されてもよい。リンク適応は、アクションＳ１４においてマッピングに基づいて実行されてもよく、これは、したがって、無線処理のパラメータ化に基づいている。
【００４５】
図２は、本明細書に記載されたアプローチのための例示的なセットアップを示しており、これは、無線ノードおよびその装置を表してもよい。変換装置１０００は、アンテナ構成から受信された信号に基づいてもよい、受信および／または受信されたシグナリング上で空間変換を実行するように適合されてもよい。信号は、ＤＦＴおよび／またはＳＶＤおよび／または他の変換を受けて、ビーム空間表現を提供すると考えられる（例えば、予め定義された）ビームのセットを導出してもよい。ビーム空間表現（スペース）は、無線処理のパラメータ化において示されてもよい。ビーム選択のようないくつかのさらなる処理は、任意のビーム選択装置１００１において実行されてもよく、これは、ビームのサブセットを選択してもよい。このサブセットは、部分空間を表すと考えられてもよく、それに応じて、無線処理のパラメータ化において表現されてもよい。チャネル推定は、例えば推定装置１００２において、ビーム空間表現および／またはサブセットに基づいて実行されてもよい。オプションで、ビーム選択は、チャネル推定に基づいて（例えば、装置１００１で前に実行する代わりに）、上述したものと類似した部分空間表現を提供するオプションのビーム選択装置１００３で実行されてもよい。例えば部分空間を表す無線処理のパラメータ化は、直接的に（例えば、装置１００３を省略して）、または間接的に（例えば、装置１００３が利用して）、またはそれらの組み合わせのいずれかに基づいて、チャネル推定に基づいてもよい。結合装置１００４は、例えば、選択されたビームサブセットおよび／またはチャネル推定に基づいて、および／またはチャネルおよび／またはベアラおよび／またはＱｏＳに基づいて、および／またはユーザ（ターゲット無線ノードを表す）のために、結合を実行してもよい。そのような結合は、例えばＳＩＮＲとしてパラメータ化されたチャネル品質を示してもよい。装置１００４は、無線処理パラメータ化として、結合および／またはチャネル品質のパラメータ化を提供してもよい。結合に基づいて、検出装置１００６は、検出および／または復号、例えばシグナリングおよび／またはチャネルの検出および／または復号を実行してもよい。結果としてのエラー検出および／または修正、および／または関連するエラーレートは、エラー検出のために使用されてもよいＣＲＣに基づいてもよい無線処理パラメータ化として示されてもよい。無線処理のパラメータ化は、装置の少なくとも１つによって提供されてもよいし、装置の任意の組み合わせによって提供されてもよい。オプションで、そのようなパラメータ化は、対応する情報を保存および／または更新してもよく、および／または処理してもよく、例えば、平均または平均表現、および／または時間発展を提供してもよく、オプションの履歴マネージャ１０１０（これは、履歴装置であってもよい）に提供されてもよい。リンク適応装置１００８は、一般に、例えば装置１０００〜１００６のうちの１つまたは複数の装置、および／または履歴マネージャ１０１０によって提供される無線処理のパラメータ化に基づいてリンク適応を実行してもよい。リンク適応は、パフォーマンスマッピング、例えばＳＩＮＲ対ＢＬＥＲマッピングを示す、および／またはチャネル品質および／またはＱｏＳに基づいて実行されてもよい。リンク適応のパラメータ化は、図２に示された情報フローに加えて、またはその代わりに、１つ以上の無線処理装置１０００〜１００６に示されてもよいことに留意すべきである。
【００４６】
特に、各受信機タイプの推定ＳＩＮＲ対ＢＬＥＲ性能の保存と分析は、図３に例示されているように、クラウドアーキテクチャまたは無線ノードの構成を活用することができる。パフォーマンスマッピングは、精度を向上させるために共有することができ、分析は、効率的な計算を採用するために、クラスタ／クラウドコンピューティングパワーを活用することができる。無線ノード、例えば１つ以上の基地局２０００は、定期的に更新されてもよいし、ノードからパラメータ化情報を受信してもよいクラウド履歴マネージャ２０１０を構成するクラウドへのオンデマンドＢＬＥＲ性能要求を行ってもよく、履歴マネージャ２０１０を置き換えてもよく、および／または補完してもよい。クラウド履歴マネージャは、１つ以上の無線ノード上に提供されてもよいし、別々に提供されてもよい。各無線ノード２０００は、上述した装置のうちの１つ以上、例えば、装置１００００〜１００４のうちの１つ以上を表す無線ユニット２００２、および／または装置１００６に対応する復号装置２００４、および／または装置１００８に対応するリンク適応ユニット２００６を構成してもよい。
【００４７】
記載されたアプローチによれば、使用される無線受信機に適応するリンク適応参照入力が考慮され得る。無線受信機のアルゴリズムおよび特性（特に空間変換および圧縮）は、所与の推定ＳＩＮＲに対する復号性能に影響を与えるので、ＬＡが使用することができる複数の参照情報を使用し、維持することが提案されている。
【００４８】
図４は、特にＵＥ（ユーザ装置）として実装されてもよい無線ノード、特に端末または無線デバイス１０を模式的に示している。無線ノード１０は、メモリに接続されたコントローラを構成してもよい処理回路（制御回路と呼ばれることもある）２０を構成する。無線ノード１０の任意のモジュール、例えば、通信モジュールまたは決定モジュールは、処理回路２０に実装され、および／または処理回路２０によって実行可能であってもよく、特に、コントローラ内のモジュールとして実装されてもよい。無線ノード１０はまた、受信および送信または送受信機能（例えば、１つまたは複数の送信機および／または受信機および／または送受信機）を提供する無線回路２２を含み、無線回路２２は、処理回路に接続されているか、または接続可能である。無線ノード１０のアンテナ回路２４は、信号を収集または送信および／または増幅するために無線回路２２に接続または接続可能である。無線回路２２およびそれを制御する処理回路２０は、ネットワーク、例えば本明細書に記載されるようなＲＡＮとのセルラー通信、および／またはサイドリンク通信のために構成される。無線ノード１０は、一般に、本明細書に開示された無線ノードのような端末またはＵＥを動作する方法のいずれかを実行するように適合されていてもよく、特に、対応する回路、例えば処理回路、および／またはモジュールを構成していてもよい。
【００４９】
図５は、特に、ネットワークノード１００として実装されてもよい無線ノード１００を模式的に示しており、この無線ノード１００は、例えば、ｅＮＢまたはｇＮＢ、またはＮＲのための類似のものである。無線ノード１００は、メモリに接続されたコントローラを構成してもよい処理回路（制御回路と呼ばれることもある）１２０を構成する。任意のモジュール、例えば、ノード１００の送信モジュールおよび／または受信モジュールおよび／または構成モジュールは、処理回路１２０に実装され、および／または処理回路１２０によって実行可能であってもよい。処理回路１２０は、ノード１００の制御無線回路１２２に接続されており、これは、受信機および送信機および／または送受信機機能（例えば、１つ以上の送信機および／または受信機および／または送受信機を構成する）を提供する。アンテナ回路１２４は、信号受信または送信および／または増幅のために無線回路１２２に接続または接続可能であってもよい。ノード１００は、本明細書に開示された無線ノードまたはネットワークノードを動作させるための方法のいずれかを実行するように適合されてもよく、特に、対応する回路、例えば処理回路、および／またはモジュールを含んでもよい。アンテナ回路１２４は、アンテナアレイに接続され、および／または構成されてもよい。ノード１００は、それぞれその回路は、本明細書に開示されたネットワークノードまたは無線ノードを動作させる方法のいずれかを実行するように適合されてもよく、特に、対応する回路、例えば処理回路、および／またはモジュールを構成してもよい。無線ノード１００は、一般に、例えば、無線ノードのような別のネットワークノードと通信するための通信回路、および／またはコアネットワークおよび／またはインターネットまたはローカルネットと通信するための通信回路、および／または特に情報システムと通信するための通信回路を構成してもよく、これは、ユーザ装置に送信される情報および／またはデータを提供してもよい。
【００５０】
送信タイミング構造および／またはシンボルおよび／またはスロットおよび／またはミニスロットおよび／またはサブキャリアおよび／またはキャリアのような特定のリソース構造への言及は、予め定義されていてもよく、および／または構成されていてもよく、または構成可能であってもよい特定の数値に関連していてもよい。送信タイミング構造は、１つ以上のシンボルをカバーする時間間隔を表してもよい。送信タイミング構造のいくつかの例は、送信時間間隔（ＴＴＩ）、サブフレーム、スロット、およびミニスロットである。スロットは、所定の、例えば、予め定義された、および／または構成された、または構成可能な、シンボルの数、例えば、６または７、または１２または１４で構成されていてもよい。ミニスロットは、スロットのシンボル数よりも小さい数のシンボル（特に、構成可能または構成可能である）、特に１、２、３または４のシンボルで構成されていてもよい。送信タイミング構造は、特定の長さの時間間隔をカバーしてもよく、これは、シンボルの時間長および／または使用されるサイクリックプレフィックスに依存してもよい。送信タイミング構造は、例えば通信のために同期化された時間ストリーム内の特定の時間間隔に関連してもよく、および／またはカバーしてもよい。伝送のために使用されるおよび／またはスケジュールされるタイミング構造、例えばスロットおよび／またはミニスロットは、他の伝送タイミング構造によって提供されるおよび／または定義されるタイミング構造に関連して、および／または同期してスケジュールされてもよい。そのような送信タイミング構造は、例えば、最小のタイミング単位を表す個々の構造内のシンボル時間間隔を有するタイミンググリッドを定義してもよい。そのようなタイミンググリッドは、例えば、スロットまたはサブフレームによって定義されてもよい（ここで、場合によっては、サブフレームは、スロットの特定の変種とみなされてもよい）。送信タイミング構造は、そのシンボルの持続時間に基づいて決定される持続時間（時間内の長さ）を有してもよく、場合によっては、使用される周期的なプレフィックスに加えてもよい。送信タイミング構造のシンボルは、同じ持続時間を有してもよいし、いくつかの変種では異なる持続時間を有してもよい。送信タイミング構造のシンボルの数は、予め定義されていてもよく、及び／又は構成されていてもよく、又は構成可能であってもよく、及び／又はヌメロロジーに依存していてもよい。ミニスロットのタイミングは、一般に、特にネットワークおよび／またはネットワークノードによって、構成または構成可能であってもよい。タイミングは、送信タイミング構造の任意のシンボル、特に１つ以上のスロットで開始および／または終了するように構成可能であってもよい。
【００５１】
一般に、処理および／または制御回路に、特に処理および／または制御回路上で実行される場合に、本明細書に記載された任意の方法を実行および／または制御させるように適合された命令を含むプログラム製品があると考えられる。また、本明細書に記載されているようなプログラム製品を担持および／または格納する担持媒体構成があると考えられる。
【００５２】
担持媒体構成は、１つ以上の担持媒体を含んでいてもよい。一般に、担持媒体は、処理回路または制御回路によってアクセス可能であり、および／または読み取り可能であり、および／または受信可能であってもよい。データおよび／またはプログラム製品および／またはコードを格納することは、データおよび／またはプログラム製品および／またはコードを担持することの一部として見られるかもしれない。担持媒体は、一般に、ガイド／輸送媒体および／または記憶媒体を構成してもよい。ガイド／輸送媒体は、信号、特に電磁信号および／または電気信号および／または磁気信号および／または光信号を担持および／または搬送および／または格納するように適合されていてもよい。担持媒体、特にガイド／輸送媒体は、そのような信号を担持するようにガイドするように適合されていてもよい。担持媒体、特にガイド／輸送媒体は、電磁場、例えば電波またはマイクロ波、および／または光学的に透過性の材料、例えばガラス繊維、および／またはケーブルで構成されてもよい。記憶媒体は、揮発性であっても不揮発性であってもよいメモリ、バッファ、キャッシュ、光ディスク、磁気メモリ、フラッシュメモリ等のうちの少なくとも１つで構成されていてもよい。
【００５３】
本明細書に記載されているような１つ以上の無線ノード、特にネットワークノードとユーザ装置とからなるシステムが考えられる。システムは、無線通信システムであってもよく、および／または無線アクセスネットワークを提供し、および／または表すことができる。
【００５４】
一般に、ヌメロロジーおよび／またはサブキャリア間隔は、キャリアのサブキャリアの帯域幅（周波数領域での）、および／またはキャリア内のサブキャリアの数、および／またはキャリア内のサブキャリアのナンバリングを示してもよい。異なる数値化は、特に、サブキャリアの帯域幅で異なっていてもよい。いくつかの変種では、キャリア内のすべてのサブキャリアは、それらに関連付けられた同じ帯域幅を有する。ヌメロロジーおよび／またはサブキャリアの間隔は、特にサブキャリアの帯域幅に関してキャリア間で異なっていてもよい。シンボル時間長、および／またはキャリアに係るタイミング構造の時間長は、キャリア周波数、および／またはサブキャリア間隔、および／またはヌメロロジーに依存してもよい。特に、異なるヌメロロジーは、異なるシンボル時間長を有してもよい。
【００５５】
シグナリングは、一般に、１つまたは複数のシンボルおよび／または信号および／またはメッセージから構成されてもよい。信号は、１つまたは複数のビットからなるか、またはそれを表すものであってもよい。表示は、シグナリングを表してもよく、および／または信号として、または複数の信号として実装されてもよい。一つまたは複数の信号は、メッセージに含まれてもよく、および／またはメッセージによって表されてもよい。シグナリング、特に制御シグナリングは、複数の信号および／またはメッセージを含んでもよく、それらは、異なるキャリア上で伝送されてもよく、および／または異なるシグナリングプロセスに関連付けられてもよく、例えば、１つ以上のそのようなプロセスおよび／または対応する情報を表すおよび／またはそれに関連してもよい。表示は、シグナリング、および／または複数の信号および／またはメッセージ、および／またはそれに含まれていてもよく、それは、異なるキャリア上で送信されてもよく、および／または異なる確認シグナリングプロセスに関連付けられていてもよく、例えば、１つ以上のそのようなプロセスを表すおよび／またはそれに関連していてもよい。チャネルに関連付けられたシグナリングは、そのチャネルに対するシグナリングおよび／または情報を表すように送信されてもよく、および／またはそのシグナリングは、送信者および／または受信者によってそのチャネルに属すると解釈される。そのようなシグナリングは、一般に、そのチャネルのための伝送パラメータおよび／またはフォーマットに準拠してもよい。
【００５６】
参照シグナリングは、１つ以上の参照シンボルおよび／または構造からなるシグナリングであってもよい。参照シグナリングは、伝送条件、例えばチャネル条件および／または伝送路条件および／またはチャネル（または信号または伝送）品質を測定および／または推定および／または表現するために適合されてもよい。参照シグナリングの伝送特性（例えば、信号強度および／または形態および／または変調および／またはタイミング）は、シグナリングの送信者および受信者の両方に対して利用可能である（例えば、予め定義されていることおよび／または構成されていること、または構成可能であること、および／または伝達されていることに起因して）と考えられてもよい。異なるタイプの参照シグナリングは、例えば、アップリンク、ダウンリンクまたはサイドリンク、セル固有（特に、セル全体、例えば、ＣＲＳ）または装置またはユーザ固有（特定のターゲットまたはユーザ装置、例えば、ＣＳＩ−ＲＳ）、復調関連（例えば、ＤＭＲＳ）および／または信号強度関連、例えば、電力関連またはエネルギー関連、または振幅関連（例えば、ＳＲＳまたはパイロットシグナリング）および／または位相関連などに関連するものであると考えられる。
【００５７】
アンテナ構成は、１つまたは複数のアンテナエレメント（放射エレメント）で構成されていてもよく、これらをアンテナアレイに組み合わせてもよい。アンテナアレイまたはサブアレイは、１つのアンテナエレメントから構成されていてもよいし、複数のアンテナエレメントから構成されていてもよく、それらは、例えば、２次元（例えば、パネル）または３次元に配置されていてもよい。各アンテナアレイまたはサブアレイまたはエレメントは、それぞれ個別に制御可能であり、異なるアンテナアレイは互いに個別に制御可能であると考えられてもよい。単一のアンテナエレメント／ラジエータは、サブアレイの最小の例と考えてもよい。アンテナアレイの例は、１つ以上のマルチアンテナパネルまたは１つ以上の個別に制御可能なアンテナエレメントからなる。アンテナ構成は、複数のアンテナアレイから構成されてもよい。アンテナ構成は、（特定および／または単一の）無線ノード、例えば、無線ノードによって制御または制御可能に設定または通知またはスケジューリングされる無線ノードに関連付けられていると考えられてもよい。ＵＥまたは端末に関連付けられたアンテナ構成は、ネットワークノードに関連付けられたアンテナ構成よりも（例えば、サイズおよび／またはアンテナエレメントまたはアレイの数で）小さくてもよい。アンテナ構成のアンテナエレメントは、例えば、ビーム形成特性を変更するために、異なるアレイに対して構成可能であってもよい。特に、アンテナアレイは、１つ以上の独立してまたは個別に制御可能なアンテナエレメントまたはサブアレイを組み合わせることによって形成されてもよい。ビームは、アナログビームフォーミングによって提供されてもよいし、いくつかの変形例では、デジタルビームフォーミングによって提供されてもよい。報知無線ノードは、ビーム送信の態様、例えば、対応するインジケータまたは表示を送信することによって、例えば、ビーム識別表示として構成されてもよい。ただし、情報提供無線ノードがそのような情報を持たない場合や、ビームフォーミングの方法を知らずに透過的に動作している場合も考えられる。アンテナ構成は、送信のためにそれに送られる信号の位相および／または振幅／パワーおよび／または利得に関して個別に制御可能であると考えられてもよく、および／または個別に制御可能なアンテナ構成は、デジタル制御情報をアンテナ構成全体のためのアナログアンテナフィードに変換するための独立したまたは別個の送信および／または受信ユニットおよび／またはＡＤＣ（アナログデジタル変換器、代替的にＡＤＣチェーン）を含んでもよい（ＡＤＣは、アンテナ回路の一部であると考えられてもよく、および／またはアンテナ回路に接続または接続可能であると考えられてもよい）。各アンテナエレメントが個別に制御可能であるシナリオは、デジタルビームフォーミングと呼ばれるかもしれないが、より大きなアレイ／サブアレイが個別に制御可能であるシナリオは、アナログビームフォーミングの一例と考えられるかもしれない。ハイブリッドな形態も考えられる。
【００５８】
アップリンクまたはサイドリンクシグナリングは、ＯＦＤＭＡ（直交周波数分割多元接続）またはＳＣ−ＦＤＭＡ（単一搬送波周波数分割多元接続）シグナリングであってもよい。ダウンリンクシグナリングは、特に、ＯＦＤＭＡシグナリングであってもよい。しかしながら、シグナリングは、それに限定されない（フィルタバンクベースのシグナリングは、１つの代替手段と考えられてもよい）。
【００５９】
無線ノードは、一般に、無線および／または無線（および／またはマイクロ波）周波数通信、および／またはエアインタフェースを利用した通信のために適合された装置またはノード、例えば通信規格に従ったものとみなされてもよい。
【００６０】
無線ノードは、ネットワークノードであってもよいし、ユーザ装置や端末であってもよい。ネットワークノードは、無線通信ネットワークの任意の無線ノード、例えば、基地局および／またはｇＮｏｄｅＢ（ｇＮＢ）および／またはｅＮｏｄｅＢ（ｅＮＢ）および／または中継ノードおよび／またはマイクロ／ナノ／ピコ／フェムトノードおよび／または伝送ポイント（ＴＰ）および／またはアクセスポイント（ＡＰ）および／または他のノードであってもよく、特に本明細書に記載されるようなＲＡＮのためのノードであってもよい。
【００６１】
無線デバイス、ユーザ装置（ＵＥ）、および端末という用語は、本開示の文脈において互換性があると考えられる。無線デバイス、ユーザ装置または端末は、無線通信ネットワークを利用した通信のためのエンドデバイスを表してもよく、および／または標準に従ってユーザ装置として実装されてもよい。ユーザ機器の例は、スマートフォンのような電話、パーソナル通信装置、携帯電話または端末、コンピュータ、特にラップトップ、無線能力を有するセンサまたは機械（および／またはエアインタフェースに適合）、特にＭＴＣ（マシン型通信、Ｍ２Ｍ、マシンツーマシン）のためのセンサまたは機械、または無線通信のために適合された車両から構成されてもよい。ユーザ装置または端末は、移動可能なものであってもよいし、固定されたものであってもよい。
【００６２】
無線ノードは、一般に、処理回路および／または無線回路を含んでいてもよい。無線ノード、特にネットワークノードは、場合によっては、ケーブル回路および／または通信回路を含んでいてもよく、これにより、別の無線ノードおよび／またはコアネットワークに接続または接続可能であってもよい。
【００６３】
回路は、集積回路を構成してもよい。処理回路は、１つ以上のプロセッサおよび／またはコントローラ（例えば、マイクロコントローラ）、および／またはＡＳＩＣ（特定用途向け集積回路）および／またはＦＰＧＡ（フィールドプログラマブルゲートアレイ）、または類似のもので構成されてもよい。処理回路は、１つ以上のメモリまたはメモリ配列を構成し、および／または（動作的に）１つ以上のメモリまたはメモリ配列に接続されているか、または接続可能であると考えられてもよい。メモリ配列は、１つ以上のメモリを構成してもよい。メモリは、デジタル情報を記憶するように適合されてもよい。メモリの例は、揮発性メモリおよび不揮発性メモリ、および／またはランダムアクセスメモリ（ＲＡＭ）、および／またはリードオンリーメモリ（ＲＯＭ）、および／または磁気メモリおよび／または光メモリ、および／またはフラッシュメモリ、および／またはハードディスクメモリ、および／またはＥＰＲＯＭまたはＥＥＰＲＯＭ（消去可能プログラム可能ＲＯＭまたは電気的消去可能プログラム可能ＲＯＭ）からなる。
【００６４】
無線回路は、１つ以上の送信機および／または受信機および／または送受信機（送受信機は、送信機および受信機として動作するか、または動作可能であり、および／または受信および送信のためのジョイント回路または分離回路を、例えば１つのパッケージまたはハウジング内で構成してもよい）を構成してもよく、および／または１つ以上の増幅器および／または発振器および／またはフィルタを構成してもよく、および／またはアンテナ回路および／または１つ以上のアンテナおよび／またはアンテナアレイを構成してもよく、および／またはアンテナ回路および／または１つ以上のアンテナおよび／またはアンテナアレイに接続されてもよく、または接続されてもよい。アンテナアレイは、１つまたは複数のアンテナを構成してもよく、これは、次元アレイ、例えば２Ｄまたは３Ｄアレイ、および／またはアンテナパネルに配置されてもよい。アンテナアレイの一例として、遠隔無線ヘッド（ＲＲＨ）を考えてもよい。しかしながら、いくつかの変形例では、ＲＲＨは、そこに実装される回路および／または機能の種類に応じて、ネットワークノードとして実装されてもよい。
【００６５】
通信回路は、無線回路および／またはケーブル回路で構成されてもよい。通信回路は、一般に、１つまたは複数のインタフェースを含んでいてもよく、そのインタフェースは、エアインタフェース、および／またはケーブルインタフェース、および／または光インタフェース、例えばレーザベースのものであってもよい。インターフェースは、特にパケットベースであってもよい。ケーブル回路および／またはケーブルインターフェースは、直接的または間接的に（例えば、１つ以上の中間システムおよび／またはインターフェースを介して）、例えば通信回路および／または処理回路によって制御されるターゲットに接続されるか、または接続可能な１つ以上のケーブル（例えば、光ファイバーベースおよび／またはワイヤベース）を含んでいてもよく、および／または接続されるか、または接続可能であってもよい。
【００６６】
本明細書に開示されたモジュールの任意の１つまたは全ては、ソフトウェアおよび／またはファームウェアおよび／またはハードウェアで実装されてもよい。異なるモジュールは、無線ノードの異なるコンポーネント、例えば、異なる回路または回路の異なる部分に関連付けられていてもよい。モジュールは、異なるコンポーネントおよび／または回路に分散していると考えられてもよい。本明細書に記載されるようなプログラム製品は、プログラム製品が実行されることが意図されている装置（例えば、ユーザ装置またはネットワークノード）に関連するモジュールを含んでもよい（実行は、関連する回路装置上で実行され、および／または関連する回路装置によって制御されてもよい）。
【００６７】
無線アクセスネットワークは、特に通信規格に従った無線通信ネットワーク、および／または無線アクセスネットワーク（ＲＡＮ）であってもよい。通信規格は、特に、３ＧＰＰおよび／または５Ｇに従った規格であってもよく、例えば、ＮＲまたはＬＴＥ、特にＬＴＥエボリューションに従った規格であってもよい。
【００６８】
無線通信ネットワークは、コアネットワークに接続または接続可能な任意の種類のセルラーおよび／または無線ネットワークであってもよく、および／または無線アクセスネットワーク（ＲＡＮ）であってもよい。本明細書に記載されたアプローチは、５Ｇネットワーク、例えばＬＴＥエボリューションおよび／またはＮＲ（ニューラジオ）、それぞれの後継ネットワークに特に適している。ＲＡＮは、１つ以上のネットワークノード、および／または１つ以上の端末、および／または１つ以上の無線ノードから構成されてもよい。ネットワークノードは、特に、１つ以上の端末との無線通信および／または無線通信および／またはセルラー通信に適応した無線ノードであってもよい。端末は、ＲＡＮとの間またはＲＡＮ内での無線および／または無線および／またはセルラー通信のために適応された任意の装置であってもよく、例えば、ユーザ装置（ＵＥ）または携帯電話またはスマートフォンまたはコンピューティング装置または車両通信装置またはマシン型通信（ＭＴＣ）のための装置などである。端末は、移動可能なものであってもよく、場合によっては静止したものであってもよい。ＲＡＮまたは無線通信ネットワークは、少なくとも１つのネットワークノードと１つのＵＥ、または少なくとも２つの無線ノードから構成されてもよい。少なくとも１つの無線ノード、および／または少なくとも１つのネットワークノードと少なくとも１つの端末とからなる無線通信ネットワークまたはシステム、例えばＲＡＮまたはＲＡＮシステムが一般的に考えられてもよい。
【００６９】
ダウンリンクでの送信は、ネットワークまたはネットワークノードから端末への送信に係るものであってもよい。アップリンクでの送信は、端末からネットワークまたはネットワークノードへの送信を意味する場合がある。サイドリンクでの送信は、ある端末から別の端末への（直接の）送信を意味する場合がある。アップリンク、ダウンリンク、およびサイドリンク（例えば、サイドリンクでの送信および受信）は、通信方向とみなされてもよい。いくつかの変種では、アップリンクおよびダウンリンクはまた、ネットワークノード間の無線通信、例えば無線バックホールおよび／または中継通信および／または（無線）ネットワーク通信、例えば基地局または類似のネットワークノード間の通信、特にそのようなところで終端する通信を記述するために使用されてもよい。バックホールおよび／または中継通信および／またはネットワーク通信は、サイドリンク通信またはアップリンク通信またはそれらに類似した通信の形態として実施されると考えられてもよい。
【００７０】
制御情報または制御情報メッセージまたは対応するシグナリング（制御シグナリング）は、制御チャネル、例えば物理的な制御チャネル上で送信されてもよく、これはダウンリンクチャネルであってもよく、または（場合によってはサイドリンクチャネルであってもよく、例えば１つのＵＥが別のＵＥをスケジューリングしているようなものであってもよい）。例えば、制御情報／割り当て情報は、ＰＤＣＣＨ（物理ダウンリンク制御チャネル）および／またはＰＤＳＣＨ（物理ダウンリンク共有チャネル）および／またはＨＡＲＱ固有のチャネル上のネットワークノードによってシグナリングされてもよい。肯定応答シグナリングは、例えば、制御情報またはアップリンク制御情報／シグナリングのようなシグナリングの形態として、ＰＵＣＣＨ（物理アップリンク制御チャネル）および／またはＰＵＳＣＨ（物理アップリンク共有チャネル）および／またはＨＡＲＱ固有のチャネル上の端末によって送信されてもよい。複数のチャネルは、マルチコンポーネント／マルチキャリア表示またはシグナリングのために適用されてもよい。
【００７１】
シグナリングは、一般に、少なくとも１つの特定または一般的な（例えば、シグナリングを拾う可能性のある誰でも）ターゲットに情報を伝達することを意図した（例えば、時間間隔および周波数間隔にわたって）電磁波構造を表すと考えられてもよい。シグナリングのプロセスは、シグナリングを送信することを含んでもよい。シグナリング、特に制御シグナリングまたは通信シグナリングを送信することは、例えば、承認シグナリングおよび／またはリソース要求情報を構成または表現するように、符号化および／または変調を含んでもよい。符号化および／または変調は、誤り検出符号化および／または前方誤り訂正符号化および／またはスクランブルを含んでもよい。受信制御信号は、対応する復号化および／または復調を含んでもよい。誤り検出符号化は、パリティまたはチェックサムアプローチ、例えばＣＲＣ（周期的冗長検査）で構成されてもよいし、それに基づいてもよい。前方誤り訂正符号化は、例えば、ターボ符号化および／またはリード・ミュラー符号化、および／またはポーラ符号化および／またはＬＤＰＣ符号化（低密度パリティチェック）で構成され、および／またはそれに基づいていてもよい。使用される符号化のタイプは、符号化された信号が関連付けられているチャネル（例えば、物理チャネル）に基づいてもよい。符号化率は、符号化により誤り検出符号化および前方誤り訂正のための符号化ビットが追加されることを考慮して、符号化前の情報ビット数と符号化後の符号化ビット数との比を表してもよい。符号化ビットは、情報ビット（系統ビットともいう）に符号化ビットを加えたものを指してもよい。
【００７２】
通信シグナリングは、データシグナリング、および／またはユーザプレーンシグナリングとして構成されてもよく、および／または表現されてもよく、および／または実装されてもよい。通信シグナリングは、データチャネル、例えば物理ダウンリンクチャネルまたは物理アップリンクチャネルまたは物理サイドリンクチャネル、特にＰＤＳＣＨ（物理ダウンリンク共有チャネル）またはＰＳＳＣＨ（物理サイドリンク共有チャネル）に関連付けられていてもよい。一般に、データチャネルは、共有チャネルまたは専用チャネルであってもよい。データシグナリングは、データチャネルに関連付けられたシグナリングおよび／またはデータチャネル上のシグナリングであってもよい。
【００７３】
表示は、一般的に、明示的および／または暗示的に、それが表す情報および／または示す情報を示してもよい。暗黙的な表示は、例えば、送信に使用される位置および／またはリソースに基づいてもよい。明示的な表示は、例えば、１つ以上のパラメータ、および／または１つ以上のインデックスまたはインデックス、および／または情報を表す１つ以上のビットパターンを有するパラメータ化に基づいてもよい。特に、利用されるリソースシーケンスに基づいて、本明細書に記載されるような制御シグナリングが、制御シグナリングタイプを暗黙的に示すと考えられてもよい。
【００７４】
リソース要素は、一般に、最小の個別に使用可能な、および／またはエンコード可能な、および／または復号可能な、および／または変調可能な、および／または復調可能な時間周波数リソースを記述してもよく、および／または、時間的にシンボルの時間長および周波数的にサブキャリアをカバーする時間周波数リソースを記述してもよい。信号は、リソース要素に割り当て可能および／または割り当てられていてもよい。サブキャリアは、キャリアのサブバンドであってもよく、例えば、標準によって定義されているようなものであってもよい。キャリアは、送信および／または受信のための周波数および／または周波数帯域を定義してもよい。いくつかの変形例では、信号（共同で符号化／変調された）は、２つ以上のリソース要素をカバーしてもよい。リソース要素は、一般的に、対応する規格、例えばＮＲまたはＬＴＥによって定義されていてもよい。シンボル時間長および／またはサブキャリア間隔（および／またはヌメロロジー）が異なるシンボルおよび／またはサブキャリア間で異なる場合があるので、異なるリソース要素は、時間および／または周波数領域において異なる拡張（長さ／幅）を有してもよく、特に、異なるキャリアに係るリソース要素は、異なるリソース要素であってもよい。
【００７５】
リソースは、一般に、時間周波数および／またはコードリソースを表してもよく、その上で、例えば特定のフォーマットに従って、シグナリングが、例えば送信および／または受信され、および／または送信および／または受信のために意図されているように、通信されてもよい。
【００７６】
境界シンボルは、一般に、送信および／または受信のための開始シンボルまたは終了シンボルを表してもよい。開始シンボルは、特に、アップリンクまたはサイドリンクシグナリング、例えば制御シグナリングまたはデータシグナリングの開始シンボルであってもよい。そのようなシグナリングは、データチャネルまたは制御チャネル、例えば物理チャネル、特に物理アップリンク共有チャネル（ＰＵＳＣＨのような）またはサイドリンクデータまたは共有チャネル、または物理アップリンク制御チャネル（ＰＵＣＣＨのような）またはサイドリンク制御チャネル上であってもよい。開始シンボルが制御シグナリングに関連付けられている場合（例えば、制御チャネル上で）、制御シグナリングは、（サイドリンクまたはダウンリンクで）受信されたシグナリングに応答してもよく、例えば、それに関連付けられたアクノリッジメントシグナリングを表してもよく、それは、ＨＡＲＱシグナリングまたはＡＲＱシグナリングであってもよい。終了シンボルは、ダウンリンクまたはサイドリンク伝送またはシグナリングの終了シンボル（時間的に）を表すものであってもよく、これは、無線ノードまたはユーザ装置に対して意図されているかまたは予定されているものであってもよい。そのようなダウンリンクシグナリングは、特に、データシグナリングであってもよく、例えば、共有チャネルのような物理的なダウンリンクチャネル、例えば、ＰＤＳＣＨ（物理ダウンリンク共有チャネル）上であってもよい。開始シンボルは、そのような終了シンボルに基づいて、および／または関連して決定されてもよい。
【００７７】
無線ノード、特に端末またはユーザ装置を設定することは、無線ノードが設定に従って動作するように適合されるか、または引き起こされるか、または設定されるか、および／または指示されることを意味してもよい。設定は、別の装置、例えば、ネットワークノード（例えば、基地局またはｅＮｏｄｅＢのようなネットワークの無線ノード）またはネットワークによって行われてもよく、その場合、設定されるべき無線ノードに設定データを送信することを含んでもよい。このような構成データは、構成されるべき構成を表すものであってもよく、および／または構成に関連する１つ以上の命令、例えば、割り当てられたリソース、特に周波数リソース上で送信および／または受信するための構成を含むものであってもよい。無線ノードは、例えば、ネットワークまたはネットワークノードから受信した構成データに基づいて、それ自体を構成してもよい。ネットワークノードは、構成のために、その回路／装置を利用してもよいし、および／または利用するように適合されてもよい。割り当て情報は、構成データの一形態と見なされてもよい。構成データは、構成情報、および／または１つ以上の対応する表示および／またはメッセージで構成され、および／または表現されてもよい。
【００７８】
一般に、構成は、構成を表す構成データを決定し、それを、例えば、１つ以上の他のノード（並列および／または順次）に提供し、それを無線ノード（または他のノードであってもよく、無線デバイスに到達するまで繰り返されてもよい）にさらに送信することを含んでもよい。代替的に、または追加的に、例えばネットワークノードまたは他の装置によって無線ノードを構成することは、構成データおよび／または構成データに係るデータを、例えばネットワークの上位ノードであってもよいネットワークノードのような他のノードから受信すること、および／または受信した構成データを無線ノードに送信することを含んでもよい。したがって、構成を決定して無線ノードに構成データを送信することは、異なるネットワークノードまたはエンティティによって実行されてもよく、これらのノードは、適切なインタフェース、例えば、ＬＴＥの場合のＸ２インタフェースまたはＮＲの場合の対応するインタフェースを介して通信可能であってもよい。端末を構成することは、端末のためにダウンリンクおよび／またはアップリンク送信をスケジューリングすること、例えばダウンリンクデータおよび／またはダウンリンク制御シグナリングおよび／またはＤＣＩおよび／またはアップリンク制御またはデータまたは通信シグナリング、特に確認応答シグナリングをスケジューリングすること、および／またはリソースおよび／またはリソースプールを構成することを含んでもよい。
【００７９】
リソース構造は、それらが共通の境界周波数を共有している場合、例えば、一方が上位周波数の境界として、他方が下位周波数の境界として、周波数領域において他のリソース構造に隣接していると考えられてもよい。このような境界は、例えば、サブキャリアｎに割り当てられた帯域幅の上端によって表されてもよく、これはまた、サブキャリアｎ＋１に割り当てられた帯域幅の下端を表す。あるリソース構造は、例えば、一方を上（図中では右）の境界として、他方を下（図中では左）の境界として、共通の境界時間を共有している場合には、別のリソース構造によって時間領域で隣接していると考えてもよい。このような境界は、例えば、シンボルｎに割り当てられたシンボル時間間隔の終了を表すことができ、これはまた、シンボルｎ＋１に割り当てられたシンボル時間間隔の開始を表す。
【００８０】
一般的に、ドメイン内の他のリソース構造に隣接しているリソース構造は、ドメイン内の他のリソース構造に隣接しているおよび／または境界と呼ばれることもある。
【００８１】
リソース構造は、一般に、時間および／または周波数ドメイン内の構造を表してもよく、特に、時間間隔および周波数間隔を表してもよい。リソース構造は、リソース要素から構成されてもよいし、リソース構造の時間間隔は、シンボル時間間隔から構成されてもよいし、リソース構造の周波数間隔は、サブキャリアから構成されてもよいし、リソース構造の周波数間隔は、サブキャリアから構成されてもよい。リソース要素は、リソース構造体の一例とされてもよく、スロットまたはミニスロット、または物理リソースブロック（ＰＲＢ）またはその一部は、他のものとされてもよい。リソース構造は、特定のチャネル、例えばＰＵＳＣＨまたはＰＵＣＣＨ、特にスロットまたはＰＲＢよりも小さいリソース構造に関連付けられていてもよい。
【００８２】
周波数領域におけるリソース構造の例は、帯域幅またはバンド、または帯域幅部分からなる。帯域幅部分は、例えば、回路および／または構成および／または規制および／または規格のために、通信を行うために無線ノードが利用可能な帯域幅の一部であってもよい。帯域幅部分は、無線ノードに対して構成されていてもよいし、構成可能であってもよい。いくつかの変形例では、帯域幅部分は、無線ノードによる通信、例えば送信および／または受信のために使用される帯域幅の一部であってもよい。帯域幅部分は、帯域幅（これは、装置の回路／構成によって定義される装置帯域幅、および／またはシステム帯域幅、例えばＲＡＮで利用可能な帯域幅であってもよい）よりも小さくてもよい。帯域幅部分は、１つ以上のリソースブロックまたはリソースブロックグループ、特に１つ以上のＰＲＢまたはＰＲＢグループからなると考えられてもよい。帯域幅部分は、１つまたは複数のキャリアに関連し、および／または構成されてもよい。
【００８３】
キャリアは、一般に、周波数範囲または帯域を表し、および／または、中心周波数および関連する周波数間隔に関係してもよい。キャリアは、複数のサブキャリアを構成すると考えられてもよい。キャリアには、中心周波数または中心周波数間隔が割り当てられていてもよく、例えば、１つ以上のサブキャリアによって表される（各サブキャリアには、一般的に周波数帯域幅または間隔が割り当てられていてもよい）。異なるキャリアは、非重複であってもよく、および／または周波数領域において隣接していてもよい。
【００８４】
本開示における「無線」という用語は、一般的に無線通信に関連すると考えられ、マイクロ波および／またはミリ波および／または他の周波数、特に１００ＭＨｚまたは１ＧＨｚと、１００ＧＨｚまたは２０ＧＨｚまたは１０ＧＨｚとの間の周波数を利用した無線通信を含んでもよいことに留意すべきである。そのような通信は、１つまたは複数のキャリアを利用してもよい。
【００８５】
無線ノード、特にネットワークノードまたは端末は、一般に、無線および／または無線信号および／またはデータ、特に通信データを、特に少なくとも１つのキャリア上で送信および／または受信するように適合された任意の装置であってもよい。少なくとも１つのキャリアは、ＬＢＴ手順に基づいてアクセスされたキャリア（これは、ＬＢＴキャリアと呼ばれてもよい）、例えば、ライセンスされていないキャリアを含んでいてもよい。キャリアは、キャリアアグリゲートの一部であると考えてもよい。
【００８６】
セルまたはキャリアで受信または送信することは、セルまたはキャリアに関連付けられた周波数（バンド）またはスペクトルを利用して受信または送信することを指す場合がある。セルは、一般に、１つ以上のキャリア、特に、ＵＬ通信／伝送のための少なくとも１つのキャリア（ＵＬキャリアと呼ばれる）およびＤＬ通信／伝送のための少なくとも１つのキャリア（ＤＬキャリアと呼ばれる）によって、構成され、および／または定義されてもよい。セルは、異なる数のＵＬキャリアおよびＤＬキャリアから構成されていると考えられてもよい。代替的に、または追加的に、セルは、例えば、ＴＤＤベースのアプローチにおいて、ＵＬ通信／伝送用の少なくとも１つのキャリアとＤＬ通信／伝送用の少なくとも１つのキャリアとで構成されてもよい。
【００８７】
チャネルは、一般に、論理チャネル、伝送チャネル、または物理チャネルであってもよい。チャネルは、１つ以上のキャリア、特に複数のサブキャリアで構成され、および／または配置されていてもよい。制御信号／制御情報を運ぶおよび／または運ぶためのチャネルは、特に物理層チャネルである場合、および／または制御プレーン情報を運ぶ場合、制御チャネルとみなされてもよい。アナログ的に、データ信号／ユーザ情報を運ぶおよび／または運ぶためのチャネルは、特に、それが物理層チャネルである場合、および／またはユーザプレーン情報を運ぶ場合、データチャネルと見なされてもよい。チャネルは、特定の通信方向のために定義されてもよいし、２つの相補的な通信方向（例えば、ＵＬとＤＬ、または２つの方向のサイドリンク）のために定義されてもよいが、その場合には、各方向のために１つの２つのコンポーネントチャネルを有すると考えられてもよい。チャネルの例は、低遅延および／または高信頼性伝送のためのチャネル、特に、制御および／またはデータのためのチャネルであってもよい超高信頼低遅延通信（ＵＲＬＬＣ）のためのチャネルを含む。
【００８８】
一般に、シンボルは、シンボル時間長を表し、および／または関連するキャリアおよび／またはサブキャリアの間隔および／または関連するキャリアのヌメロロジーに依存してもよい。したがって、シンボルは、周波数領域に関連してシンボル時間長を有する時間間隔を示すと考えられてもよい。シンボル時間長は、シンボルのキャリア周波数および／または帯域幅および／またはヌメロロジーおよび／またはサブキャリア間隔に依存していてもよいし、シンボルに関連付けられていてもよい。したがって、異なるシンボルは、異なるシンボル時間長を有してもよい。特に、異なるサブキャリア間隔を有するヌメロロジーは、異なるシンボル時間長を有してもよい。一般に、シンボル時間長は、ガード時間間隔またはサイクリック延長、例えばプレフィックスまたはポストフィックスに基づいてもよく、および／またはそれを含んでもよい。
【００８９】
サイドリンクは、一般に、２つのＵＥおよび／または端末間の通信チャネル（またはチャネル構造）を表してもよく、この場合、データは、通信チャネルを介して、例えば、直接および／またはネットワークノードを介して中継されることなく、参加者（ＵＥおよび／または端末）間で伝送される。サイドリンクは、サイドリンク通信チャネルを介して直接リンクされてもよい参加者のエアインタフェースを介してのみ、および／または直接確立されてもよい。いくつかの変種では、サイドリンク通信は、ネットワークノードによる相互作用なしに、例えば、固定的に定義されたリソース上および／または参加者間でネゴシエートされたリソース上で実行されてもよい。代替的に、または追加的に、ネットワークノードが、例えば、リソース、特に１つ以上のリソースプールをサイドリンク通信のために構成し、および／またはサイドリンクを監視することによって、例えば、課金目的のために、何らかの制御機能を提供すると考えられてもよい。
【００９０】
サイドリンク通信は、デバイス間（Ｄ２Ｄ）通信と呼ばれることもあり、および／または場合によっては、例えばＬＴＥのコンテキストでは、ＰｒｏＳｅ（プロキシミティ・サービス）通信と呼ばれることもある。サイドリンクは、Ｖ２ｘ通信（車両通信）、例えば、Ｖ２Ｖ（車両と車両）、Ｖ２Ｉ（車両とインフラ）、および／またはＶ２Ｐ（車両と人）のコンテキストで実装されてもよい。サイドリンク通信のために適応された任意の装置は、ユーザ装置または端末とみなされてもよい。
【００９１】
サイドリンク通信チャネル（または構造）は、１つ以上の（例えば、物理的または論理的な）チャネル、例えば、ＰＳＣＣＨ（物理サイドリンク制御チャネル、これは、例えば、確認位置表示のような制御情報を運ぶことができ、および／またはＰＳＣＨ（物理サイドリンクチャネル、これは、例えば、データおよび／または確認信号を運ぶことができる）で構成されていてもよい。サイドリンク通信チャネル（または構造）は、例えば特定のライセンスおよび／または標準に従って、セルラー通信に関連する、および／またはセルラー通信によって使用されている、１つまたは複数のキャリアおよび／または周波数範囲に関連する、および／または使用されていると考えられてもよい。参加者は、サイドリンクの（物理的な）チャネルおよび／またはリソースを共有してもよく、特に周波数領域および／またはキャリアのような周波数リソースに関連して）、２人以上の参加者がその上で、例えば同時に、および／またはタイムシフトして送信するように、および／または特定の参加者に特定のチャネルおよび／またはリソースが関連していてもよく、そのため、例えば１人の参加者だけが、特定のチャネルまたは特定のリソースまたは特定のリソース上で、例えば周波数領域および／または１以上のキャリアまたはサブキャリアに関連して送信するように、サイドリンクの（物理的な）チャネルおよび／またはリソースを共有してもよい。
【００９２】
サイドリンクは、特定の規格、例えばＬＴＥベースの規格および／またはＮＲに準拠していてもよく、および／またはそれに従って実装されていてもよい。サイドリンクは、ＴＤＤ（時分割複信）および／またはＦＤＤ（周波数分割複信）技術を利用してもよく、例えば、ネットワークノードによって構成され、および／または参加者間で事前に設定され、および／またはネゴシエートされたものであってもよい。ユーザ装置は、それ、および／またはその無線回路および／または処理回路が、例えば、１つ以上の周波数範囲および／またはキャリア上で、および／または１つ以上のフォーマットで、特に特定の規格に従って、サイドリンクを利用するように適合されている場合、サイドリンク通信に適合されていると見なされてもよい。一般に、無線アクセスネットワークは、サイドリンク通信の２人の参加者によって定義されると考えられてもよい。代替的に、または追加的に、無線アクセスネットワークは、ネットワークノードおよび／またはそのようなノードとの通信を表す、および／または一緒に定義される、および／または関連していてもよい。
【００９３】
通信または通信は、一般に、シグナリングの送信および／または受信を含むことができる。サイドリンク上での通信（またはサイドリンクシグナリング）は、通信のために（それぞれ、シグナリングのために）サイドリンクを利用することから構成されてもよい。サイドリンク上での送信および／または送信は、サイドリンクを利用した送信、例えば関連するリソースおよび／または送信フォーマットおよび／または回路および／またはエアインタフェースを利用した送信を含むと考えられてもよい。サイドリンク受信及び／又はサイドリンク上での受信は、サイドリンクを利用した受信、例えば、関連するリソース及び／又は伝送フォーマット及び／又は回路及び／又はエアインタフェースを利用した受信を構成すると考えてもよい。サイドリンク制御情報（例えば、ＳＣＩ）は、一般に、サイドリンクを利用して送信される制御情報を構成すると考えられてもよい。
【００９４】
一般に、キャリアアグリゲーション（ＣＡ）は、無線および／またはセルラー通信ネットワークおよび／またはネットワークノードと端末との間の無線接続および／または通信リンク、または少なくとも１つの伝送方向（例えば、ＤＬおよび／またはＵＬ）のための複数のキャリアを構成するサイドリンク上の、キャリアのアグリゲーションという概念を参照してもよい。対応する通信リンクは、キャリアアグリゲーション通信リンクまたはＣＡ通信リンクと呼ばれてもよく、キャリアアグリゲーション内のキャリアは、コンポーネントキャリア（ＣＣ）と呼ばれてもよい。このようなリンクでは、データは、キャリアアグリゲーション（キャリアの集合体）の１つ以上のキャリアおよび／またはすべてのキャリアを介して送信されてもよい。キャリアアグリゲーションは、１つ（またはそれ以上）の専用の制御キャリアおよび／または一次キャリア（これは、例えば、一次コンポーネントキャリアまたはＰＣＣと呼ばれてもよい）で構成されてもよく、制御情報が送信されてもよく、ここで、制御情報は、一次キャリアおよび他のキャリア（これは、二次キャリア（または二次コンポーネントキャリア、ＳＣＣ）と呼ばれてもよい）を参照してもよい。しかしながら、いくつかのアプローチでは、制御情報は、アグリゲートの１つ以上のキャリア、例えば、１つ以上のＰＣＣと１つ以上のＰＣＣと１つ以上のＳＣＣとを介して送信されてもよい。
【００９５】
伝送は、一般に、特定のチャネルおよび／または特定のリソース、特に、開始シンボルおよび終了シンボルを時間内に有し、その間の間隔をカバーする伝送に関連していてもよい。スケジュールされた伝送は、スケジュールされた伝送および／または期待された伝送、および／またはリソースがスケジュールされているか、または提供されているか、または予約されている伝送であってもよい。しかし、すべてのスケジュールされた伝送が実現されなければならないわけではない。例えば、スケジュールされたダウンリンク伝送が受信されないかもしれないし、スケジュールされたアップリンク伝送が電力制限、または他の影響（例えば、ライセンスされていないキャリア上のチャネルが占有されている）のために伝送されないかもしれない。伝送は、スロットのような伝送タイミング構造内の伝送タイミングサブ構造（例えば、ミニスロット、および／または伝送タイミング構造の一部のみをカバーする）に対してスケジュールされてもよい。境界シンボルは、送信が開始または終了する送信タイミング構造内のシンボルを示してもよい。
【００９６】
本開示の文脈で定義済みとは、関連情報が、例えば規格で定義されていること、および／またはネットワークまたはネットワークノードから特定の構成なしに利用可能であること、例えばメモリに格納されていること、例えば構成されていることとは無関係に利用可能であることを意味してもよい。設定されているまたは設定可能であることは、例えばネットワークまたはネットワークノードによって設定／設定されている対応する情報に関連すると考えられてもよい。
【００９７】
ミニスロット構成および／または構造構成のような構成またはスケジュールは、例えばそれが有効な時間／伝送のために、伝送をスケジュールしてもよく、および／または伝送は、別個のシグナリングまたは別個の構成、例えば別個のＲＲＣシグナリングおよび／またはダウンリンク制御情報シグナリングによってスケジュールされてもよい。スケジュールされた送信／伝送は、装置が通信のどの側にあるかに応じて、それがスケジュールされた装置によって送信されるべきシグナリング、またはそれがスケジュールされた装置によって受信されるべきシグナリングを表してもよい。ダウンリンク制御情報または具体的にはＤＣＩシグナリングは、ＭＡＣ（媒体アクセス制御）シグナリングまたはＲＲＣ層シグナリングのような上位レイヤシグナリングとは対照的に、物理層シグナリングとみなされることがあることに留意すべきである。シグナリングの上位レイヤほど、そのようなシグナリングに含まれる情報が、処理および処理を必要とする複数のレイヤを通過しなければならないため、少なくとも部分的には、頻度が低い／時間／リソースを消費すると考えられるかもしれない。
【００９８】
スケジュールされた送信、および／またはミニスロットまたはスロットのような送信タイミング構造は、特定のチャネル、特に物理アップリンク共有チャネル、物理アップリンク制御チャネル、または物理ダウンリンク共有チャネル、例えばＰＵＳＣＨ、ＰＵＣＣＨまたはＰＤＳＣＨに関連していてもよく、および／または特定のセルおよび／またはキャリアアグリゲーションに関連していてもよい。対応する構成、例えばスケジューリング構成またはシンボル構成は、そのようなチャネル、セルおよび／またはキャリアアグリゲーションに関連してもよい。スケジューリングされた送信は、物理チャネル、特に共有された物理チャネル、例えば物理アップリンク共有チャネルまたは物理ダウンリンク共有チャネル上での送信を表すと考えられてもよい。このようなチャネルについては、半永続的な構成が特に適しているかもしれない。
【００９９】
一般に、構成は、タイミングを示す構成であってもよく、および／または、対応する構成データで表現または構成されてもよい。構成は、特に半永続的および／または半静的にリソースを示してもよく、および／またはスケジューリングしてもよい、メッセージまたは構成または対応するデータに埋め込まれてもよく、および／または構成されてもよい。
【０１００】
伝送タイミング構造の制御領域は、制御シグナリング、特にダウンリンク制御シグナリング、および／または特定の制御チャネル、例えばＰＤＣＣＨのような物理的なダウンリンク制御チャネルのために意図された、またはスケジュールされた、または予約された時間内の間隔であってもよい。インターバルは、例えば、（ＵＥ固有の）専用シグナリング（シングルキャストであってもよく、例えば、特定のＵＥに宛てられた、または特定のＵＥのために意図されたものであってもよい）、例えば、ＰＤＣＣＨ上、またはＲＲＣシグナリング上、またはマルチキャストまたはブロードキャストチャネル上で、構成されてもよく、および／または、時間内のシンボル数で構成されてもよい。一般に、送信タイミング構造は、構成可能なシンボル数をカバーする制御領域を構成してもよい。一般に、境界シンボルは、時間的に制御領域の後にあるように構成されていると考えられてもよい。
【０１０１】
送信タイミング構造のシンボル（シンボル時間長または間隔）の持続時間は、一般に、ヌメロロジーおよび／またはキャリアに依存してもよく、ここで、ヌメロロジーおよび／またはキャリアは、構成可能であってもよい。ヌメロロジーは、スケジューリングされた送信に使用されるヌメロロジーであってもよい。
【０１０２】
装置、または装置のためのスケジューリング、および／または装置に関連する送信またはシグナリングは、装置をリソースで構成すること、および／または装置にリソース、例えば通信のために使用することを表示することを含む、またはその形態であると考えられてもよい。スケジューリングは、特に、伝送タイミング構造、またはその部分構造（例えば、スロットまたはミニスロット。境界シンボルは、スケジューリングされている部分構造に対してであっても、例えば、基礎となるタイミンググリッドが伝送タイミング構造に基づいて定義されている場合には、伝送タイミング構造に関連して識別および／または決定されてもよいと考えられる。スケジューリングを示すシグナリングは、対応するスケジューリング情報を含んでいてもよく、および／または、スケジューリングされている伝送を示す構成データを表しているか、または含んでいると考えられてもよいし、スケジューリング情報を含んでいると考えられてもよい。そのような構成データまたはシグナリングは、リソース構成またはスケジューリング構成を表すと考えられてもよい。場合によっては、そのような構成（特に単一メッセージとしての）は、他の構成データ、例えば他のシグナリング、例えばより高いレイヤのシグナリングで構成されていないと完全ではない可能性があることに留意すべきである。特に、スケジュールされた送信にどのシンボルが割り当てられているかを正確に識別するために、シンボル構成は、スケジューリング／リソース構成に加えて提供されてもよい。スケジューリング（またはリソース）構成は、スケジューリングされた伝送のための伝送タイミング構造／および／またはリソース量（例えば、シンボル数または時間の長さ）を示してもよい。
【０１０３】
スケジューリングされた送信は、例えば、ネットワークまたはネットワークノードによってスケジュールされた送信であってもよい。この文脈では、伝送は、アップリンク（ＵＬ）またはダウンリンク（ＤＬ）またはサイドリンク（ＳＬ）伝送であってもよい。スケジューリング送信がスケジューリングされている装置、例えばユーザ装置は、それに応じて、スケジューリングされた送信を受信する（例えば、ＤＬまたはＳＬで）か、または送信する（例えば、ＵＬまたはＳＬで）ようにスケジューリングされてもよい。送信をスケジューリングすることは、特に、この送信のためのリソースをスケジューリングされた装置に設定すること、および／または、送信が意図されているおよび／またはいくつかのリソースに対してスケジューリングされていることを装置に通知することからなると考えられ得る。伝送は、時間間隔、特に連続した数のシンボルをカバーするようにスケジューリングされてもよく、それは、開始シンボルと終了シンボルとの間（およびそれを含む）で時間的に連続した間隔を形成してもよい。スケジュールされた）送信の開始シンボルおよび終了シンボルは、同じ送信タイミング構造、例えば同じスロット内にあってもよい。しかしながら、場合によっては、終了シンボルは、開始シンボルよりも後の送信タイミング構造、特に時間的に後に続く構造内にあってもよい。スケジュールされた送信に対して、継続時間は、例えば、シンボルの数または関連する時間間隔で、関連付けられ、および／または示されてもよい。いくつかの変形例では、同じ送信タイミング構造でスケジュールされた異なる送信が存在してもよい。スケジュールされた送信は、特定のチャネル、例えば、ＰＵＳＣＨまたはＰＤＳＣＨのような共有チャネルに関連付けられていると考えられてもよい。
【０１０４】
本開示の文脈では、動的にスケジュールされたまたは非周期的な送信および／または構成と、半静的または半永続的または周期的な送信および／または構成とを区別してもよい。動的」または類似の用語は、一般に、（比較的）短い時間スケールおよび／または（例えば、事前に定義されたおよび／または構成されたおよび／または限定されたおよび／または確定された）発生数および／または送信タイミング構造、例えば、スロットまたはスロットアグリゲーションのような１つ以上の送信タイミング構造、および／または１つ以上の（例えば、特定の数の）送信／発生数のために有効および／またはスケジュールされたおよび／または構成された構成に関連していてもよい。動的構成は、低レベルシグナリング、例えば、物理層および／またはＭＡＣ層上の制御シグナリング、特にＤＣＩまたはＳＣＩの形での制御シグナリングに基づいてもよい。周期的／半静的は、より長いタイムスケール、例えば、複数のスロットおよび／または１つ以上のフレーム、および／または非定義の発生回数、例えば、動的構成が矛盾するまで、または新しい周期的構成が到着するまで、に関係してもよい。周期的構成または半静的構成は、より高いレイヤのシグナリング、特にＲＣＬ層のシグナリングおよび／またはＲＲＣＣシグナリングおよび／またはＭＡＣシグナリングに基づいて、および／またはそれと一緒に構成されてもよい。
【０１０５】
送信タイミング構成は、複数のシンボルで構成されてもよく、および／または、複数のシンボル（それぞれ、それらの関連する時間間隔）で構成される間隔を定義してもよい。本開示の文脈において、参照を容易にするためのシンボルへの参照は、文脈から周波数領域成分も考慮しなければならないことが明らかでない限り、シンボルの時間領域投影または時間間隔または時間成分、または持続時間または時間内の長さを参照すると解釈され得ることに留意すべきである。送信タイミング構造の例としては、スロット、サブフレーム、ミニスロット（これもまた、スロットのサブ構造とみなされてもよい）、スロットアグリゲーション（これもまた、複数のスロットを構成してもよく、スロットの上部構造とみなされてもよい）、それぞれの時間領域成分が挙げられる。送信タイミング構造は、一般に、送信タイミング構造の時間領域延長（例えば、間隔または長さまたは持続時間）を定義する複数のシンボルから構成されていてもよく、番号順に互いに隣接して配置されている。タイミング構造（これはまた、同期構造として考えられてもよいし、実装されてもよい）は、そのような送信タイミング構造の連続によって定義されてもよく、これは、例えば、最小のグリッド構造を表すシンボルを有するタイミンググリッドを定義してもよい。送信タイミング構造、および／または境界シンボル、またはスケジューリングされた送信は、そのようなタイミンググリッドに関連して決定されるか、またはスケジューリングされてもよい。受信の送信タイミング構造は、スケジューリング制御シグナリングが受信される送信タイミング構造であってもよく、例えば、タイミンググリッドとの関係であってもよい。送信タイミング構造は、特に、スロットまたはサブフレーム、または場合によってはミニスロットであってもよい。
【０１０６】
フィードバックシグナリングは、ＵＣＩ（アップリンク制御情報）シグナリングまたはＳＣＩ（サイドリンク制御情報）シグナリングのような形態または制御シグナリング、例えばアップリンク制御シグナリングまたはサイドリンク制御シグナリングと見なされてもよい。フィードバックシグナリングは、特に、確認応答シグナリングおよび／または確認応答情報および／または測定報告を構成および／または表すことができる。
【０１０７】
確認応答情報は、確認応答シグナリングプロセスのための特定の値または状態、例えばＡＣＫまたはＮＡＣＫまたはＤＴＸの表示で構成されていてもよい。このような表示は、例えば、ビットまたはビット値、ビットパターン、または情報スイッチを表してもよい。異なるレベルの確認応答情報、例えば、受信品質および／または受信データ要素におけるエラー位置に関する差別化された情報を提供することは、制御シグナリングによって考慮され、および／または表現されてもよい。確認応答情報は、一般に、確認応答、非確認応答、非受信、またはそれらの異なるレベル、例えば、ＡＣＫ、ＮＡＣＫ、またはＤＴＸを表すことを示してもよい。確認応答情報は、１つの確認応答シグナリングプロセスに関連している場合があります。確認応答シグナリングは、１つまたは複数の確認応答シグナリングプロセス、特に１つまたは複数のＨＡＲＱまたはＡＲＱプロセスに関連する確認応答情報で構成されてもよい。確認応答情報が関係する各確認応答シグナリングプロセスには、制御シグナリングの情報サイズの特定のビット数が割り当てられていると考えられてもよい。測定報告シグナリングは、測定情報から構成されてもよい。
【０１０８】
シグナリングは、一般に、１つ以上のシンボルおよび／または信号および／またはメッセージから構成されてもよい。信号は、共通の変調された信号に変調された１つ以上のビットから構成されてもよく、および／またはそれを表してもよい。表示は、シグナリングを表してもよく、および／または信号として、または複数の信号として実装されてもよい。一つまたは複数の信号は、メッセージに含まれてもよく、および／またはメッセージによって表されてもよい。シグナリング、特に制御シグナリングは、複数の信号および／またはメッセージを含んでもよく、それらは、異なるキャリア上で送信されてもよく、および／または異なる確認シグナリングプロセスに関連付けられてもよく、例えば、１つ以上のそのようなプロセスを表すおよび／またはそれに関連してもよい。表示は、シグナリングおよび／または複数の信号および／またはメッセージからなり、および／またはそれに含まれていてもよく、それらは、異なるキャリア上で送信されてもよく、および／または異なる確認信号伝達プロセスに関連付けられていてもよく、例えば、１つ以上のそのようなプロセスを表すおよび／またはそれに関連している。
【０１０９】
リソースまたはリソース構造を利用した、および／またはリソース上で、および／またはリソース構造に関連付けられたシグナリングは、リソースまたは構造をカバーするシグナリングであってもよく、関連付けられた周波数／種類で、および／または関連付けられた時間間隔／秒でのシグナリングであってもよい。シグナリングリソース構造は、１つ以上の異なるチャネルおよび／または種類のシグナリングに関連付けられていてもよく、および／または１つ以上のホール（送信または送信の受信のためにスケジュールされていないリソース要素／秒）を含んでいてもよく、１つ以上のサブ構造を構成および／または包含していると考えられてもよい。リソース部分構造、例えばフィードバックリソース構造は、一般に、関連する間隔内で、時間および／または周波数が連続していてもよい。部分構造、特にフィードバックリソース構造は、時間／周波数空間において、１つ以上のリソース要素で満たされた矩形を表していると考えられてもよい。しかしながら、場合によっては、リソース構造または部分構造、特に周波数リソース範囲は、１つ以上の領域、例えば時間および／または周波数におけるリソースの非連続パターンを表してもよい。部分構造のリソース要素は、関連するシグナリングのためにスケジュールされていてもよい。
【０１１０】
リソース要素上で運ばれ得る特定のシグナリングに関連付けられたビット数またはビットレートは、変調および符号化スキーム（ＭＣＳ）に基づいてもよいことは、一般的に留意されるべきである。したがって、ビット数またはビットレートは、例えばＭＣＳに依存して、周波数および／または時間におけるリソース構造または範囲を表すリソースの一形態と見なすことができる。ＭＣＳは、例えば制御シグナリング、例えばＤＣＩまたはＭＡＣ（媒体アクセス制御）またはＲＲＣ（無線リソース制御）シグナリングによって、構成または構成可能であってもよい。制御情報のための異なるフォーマット、例えば、物理アップリンク制御チャネル（ＰＵＣＣＨ）のような制御チャネルのための異なるフォーマットが考慮されてもよい。ＰＵＣＣＨは、制御情報または対応する制御シグナリング、例えばアップリンク制御情報（ＵＣＩ）を運んでもよい。ＵＣＩは、フィードバックシグナリング、および／またはＨＡＲＱフィードバック（ＡＣＫ／ＮＡＣＫ）のような確認シグナリング、および／または測定情報シグナリング、例えばチャネル品質情報（ＣＱＩ）、および／またはスケジューリング要求（ＳＲ）シグナリングから構成されてもよい。サポートされるＰＵＣＣＨフォーマットの１つは、短くてもよく、例えば、スロット間隔の終わりに発生してもよく、および／または多重化されてもよく、および／またはＰＵＳＣＨに隣接していてもよい。同様の制御情報は、例えば、サイドリンク制御情報（ＳＣＩ）として、特に（Ｐ）ＳＣＣＨのような（物理的な）サイドリンク制御チャネル上で提供されてもよい。
【０１１１】
コードブロックは、伝送ブロックのようなデータ要素のサブエレメントと見なされてもよく、例えば、伝送ブロックは、１つまたは複数のコードブロックから構成されてもよい。
【０１１２】
スケジューリング割り当ては、制御シグナリング、例えばダウンリンク制御シグナリングまたはサイドリンク制御シグナリングによって構成されてもよい。そのような制御シグナリングは、スケジューリング情報を示すスケジューリングシグナリングを表すおよび／または構成されていると考えられてもよい。スケジューリング割り当ては、シグナリングのスケジューリング／伝送のスケジューリングを示すスケジューリング情報であり、特に、スケジューリング割り当てを用いて構成された装置によって受信された、または受信されるべきシグナリングに係るものと考えられてもよい。スケジューリング割り当ては、データ（例えば、データブロックまたは要素および／またはチャネルおよび／またはデータストリーム）および／または（関連する）確認応答シグナリングプロセスおよび／または（場合によっては、参照シグナリング）が受信されるべき、および／または関連するフィードバックシグナリングのためのリソース、および／または関連するフィードバックシグナリングが送信されるべきフィードバックリソース範囲を示すものであると考えられてもよい。確認シグナリングプロセスに関連付けられた送信、および／または関連付けられたリソースまたはリソース構造は、例えばスケジューリング割り当てによって、構成および／またはスケジューリングされてもよい。異なるスケジューリング割り当ては、異なる確認応答シグナリングプロセスに関連付けられてもよい。スケジューリング付与は、ダウンリンク制御情報またはシグナリングの一例とみなされてもよく、例えば、ネットワークノードによって送信され、および／またはダウンリンク上で提供される場合（または、サイドリンクを使用して送信され、および／またはユーザ装置によって送信される場合には、サイドリンク制御情報）。
【０１１３】
スケジューリンググラント（例えば、アップリンクグラント）は、制御シグナリング（例えば、ダウンリンク制御情報／シグナリング）を表してもよい。スケジューリンググラントは、アップリンク（またはサイドリンク）シグナリング、特にアップリンク制御シグナリングおよび／またはフィードバックシグナリング、例えば確認応答シグナリングのためのシグナリングリソース範囲および／またはリソースを構成すると考えられてもよい。シグナリングリソース範囲および／またはリソースを構成することは、構成された無線ノードによる送信のためにそれを構成するか、またはスケジューリングすることを含んでもよい。スケジューリンググラントは、フィードバックシグナリングのために使用される／使用可能なチャネルおよび／または可能性のあるチャネルを示してもよく、特に、ＰＵＳＣＨのような共有チャネルが使用される／使用されるべきであるかどうかを示してもよい。スケジューリンググラントは、一般に、アップリンクリソースおよび／またはアップリンクチャネル、および／または関連するスケジューリング割り当てに係る制御情報のためのフォーマットを示してもよい。グラントおよび割り当ての両方は、（ダウンリンクまたはサイドリンク）制御情報とみなされてもよく、および／または、異なるメッセージに関連付けられていてもよく、および／または、異なるメッセージと一緒に送信されてもよい。
【０１１４】
周波数領域（これは、周波数間隔および／または帯域幅と呼ばれてもよい）のリソース構造は、サブキャリアグループ化によって表現されてもよい。サブキャリアグループ化は、１つ以上のサブキャリアで構成されてもよく、各サブキャリアは、特定の周波数間隔および／または帯域幅を表してもよい。サブキャリアの帯域幅、すなわち周波数領域における間隔の長さは、サブキャリアの間隔および／または数値によって決定されてもよい。サブキャリアは、各サブキャリアが周波数空間においてグループ化の少なくとも１つの他のサブキャリアに隣接するように配置されてもよい（１より大きいグループ化サイズの場合）。グルーピングのサブキャリアは、同じキャリアに関連付けられていてもよく、例えば、構成的に、または予め定義された構成であってもよい。物理リソースブロックは、（周波数領域において）グルーピングの代表とみなされてもよい。サブキャリアのグループ化は、特定のチャネルおよび／または種類のシグナリングに関連付けられていると考えられてもよく、そのようなチャネルまたはシグナリングのための送信は、グループ化内の少なくとも１つ、または複数、またはすべてのサブキャリアに対してスケジュールされ、および／または送信され、および／または意図され、および／または構成されている。そのような関連付けは、時間依存的であってもよく、例えば、構成されていてもよく、設定可能であってもよく、予め定義されていてもよく、および／または動的であってもよく、半静的であってもよい。このような関連付けは、異なる装置、例えば、構成されているか、構成可能か、または事前に定義されているか、および／または動的か、または半静的であるかのように、異なるものであってもよい。サブキャリアグループのパターンが考慮されてもよく、これは、（同一または異なるシグナリング／チャネルに関連づけられてもよい）１つまたは複数のサブキャリアグループ、および／または（例えば、特定の装置から見て）関連づけられたシグナリングを伴わない１つまたは複数のグループから構成されてもよい。パターンの例は、櫛であり、同じシグナリング／チャネルに関連付けられたグループの組の間に、１つ以上の異なるチャネルおよび／またはシグナリングタイプに関連付けられた１つ以上のグループが配置され、および／または、関連付けられたチャネル／シグナリングを伴わない１つ以上のグループが配置される。
【０１１５】
例示的なタイプのシグナリングは、特定の通信方向のシグナリング、特に、アップリンクシグナリング、ダウンリンクシグナリング、サイドリンクシグナリング、および参照シグナリング（例えば、ＳＲＳまたはＣＲＳまたはＣＳＩ−ＲＳ）、通信シグナリング、制御シグナリング、および／またはＰＵＳＣＨ、ＰＤＳＣＨ、ＰＵＣＣＨ、ＰＤＣＣＨ、ＰＳＣＣＨ、ＰＳＳＣＨなどのような特定のチャネルに関連付けられたシグナリングからなる。
【０１１６】
本開示では、説明の目的のために、限定ではなく、本明細書に提示された技術の完全な理解を提供するために、特定の詳細（特定のネットワーク機能、プロセス、シグナリングステップなど）が記載されている。本発明の概念および側面は、これらの特定の詳細から出発した他の変種および変種で実施されてもよいことは、当業者には明らかであろう。
【０１１７】
例えば、概念および亜種は、ロングタームエボリューション（ＬＴＥ）またはＬＴＥアドバンスド（ＬＴＥ−Ａ）またはニューラジオ移動通信または無線通信技術の文脈で部分的に記載されているが、これは、移動通信のグローバルシステム（ＧＳＭ）のような追加的または代替的な移動通信技術に関連して、本概念および側面を使用することを排除するものではない。記載された変形例は、第３世代パートナーシッププロジェクト（３ＧＰＰ）の特定の技術仕様書（ＴＳ）に関連しているかもしれないが、本発明のアプローチ、概念、および側面は、異なるパフォーマンス管理（ＰＭ）仕様に関連しても実現され得ることが理解されるであろう。
【０１１８】
さらに、本明細書で説明したサービス、機能、およびステップは、プログラムされたマイクロプロセッサと連携して機能するソフトウェアを使用して、または特定用途向け集積回路（ＡＳＩＣ）、デジタルシグナルプロセッサ（ＤＳＰ）、フィールドプログラマブルゲートアレイ（ＦＰＧＡ）、または汎用コンピュータを使用して実装することができることが、当技術に熟練した者には理解できるであろう。本明細書に記載された変種は、方法および装置の文脈で解明されているが、本明細書に記載された概念および側面は、制御回路、例えばコンピュータプロセッサおよびプロセッサに結合されたメモリからなるシステムと同様に、プログラム製品においても具現化されてもよく、メモリは、本明細書に開示されたサービス、機能およびステップを実行する１つまたは複数のプログラムまたはプログラム製品でエンコードされていることが理解されるであろう。
【０１１９】
本明細書に提示された側面および変種の利点は、前述の説明から完全に理解されるであろうと考えられ、本明細書に記載された概念および側面の範囲から逸脱することなく、またはその有利な効果のすべてを犠牲にすることなく、その例示的な側面の形態、構造および配置において様々な変更がなされ得ることが明らかになるであろう。本明細書に提示された側面は、多くの方法で変化し得る。
【０１２０】
いくつかの有用な略語は以下を含む。
略語  説明
ＡＣＫ／ＮＡＣＫ  肯定応答／否定応答
ＡＲＱ  自動再送要求
ＢＥＲ  ビットエラーレート
ＢＬＥＲ  ブロックエラーレート
ＣＡＺＡＣ  一定振幅ゼロクロス相関
ＣＢＧ  コードブロックグループ
ＣＤＭ  符号分割多重
ＣＭ  立方メートル
ＣＱＩ  チャネル品質情報
ＣＲＣ  周期的冗長検査
ＣＲＳ  共通参照信号
ＣＳＩ  チャンネル状態情報
ＣＳＩ−ＲＳ  チャネル状態情報参照信号
ＤＡＩ  ダウンリンク割当インジケータ
ＤＣＩ  ダウンリンク制御情報
ＤＦＴ  離散フーリエ変換
ＤＭ（−）ＲＳ  復調参照信号（シグナリング）
ＦＤＭ  周波数分割多重
ＨＡＲＱ  ハイブリッド自動再送要求
ＩＦＦＴ  逆高速フーリエ変換
ＩＲＣ  干渉拒否結合
ＬＡ  リンク適応
ＭＢＢ  モバイルブロードバンド
ＭＣＳ  変調および符号化方式
ＭＩＭＯ  多入力多出力
ＭＭＳＥ  最小平均二乗誤差
ＭＲＣ  最大比合成
ＭＲＴ  最大比伝送
ＭＵ−ＭＩＭＯ  多ユーザ多入力多出力
ＯＦＤＭ／Ａ  直交周波数分割多重／多元接続
ＰＡＰＲ  ピーク対平均電力比
ＰＤＣＣＨ  物理ダウンリンク制御チャネル
ＰＤＳＣＨ  物理ダウンリンク共有チャネル
ＰＲＡＣＨ  物理ランダムアクセスチャネル
ＰＲＢ  物理リソースブロック
ＰＵＣＣＨ  物理アップリンク制御チャネル
ＰＵＳＣＨ  物理アップリンク共有チャネル
（Ｐ）ＳＣＣＨ  （物理）サイドリンク制御チャネル
（Ｐ）ＳＳＣＨ  （物理）サイドリンク共有チャネル
ＱｏＳ  サービス品質
ＲＢ  リソースブロック
ＲＲＣ  無線リソース制御 
ＳＣ−ＦＤＭ／Ａ  単一キャリア周波数分割多重／多元接続
ＳＣＩ  サイドリンク制御情報
ＳＩＮＲ  信号対干渉および雑音比
ＳＩＲ  信号対干渉比
ＳＮＲ  信号対雑音比
ＳＲ  スケジューリング要求
ＳＲＳ  サウンディング参照信号（シグナリング）
ＳＶＤ  特異値分解
ＴＤＭ  時分割多重
ＵＣＩ  アップリンク制御情報
ＵＥ  ユーザ装置
ＵＲＬＬＣ  超低遅延高信頼通信
ＶＬ−ＭＩＭＯ  超大規模多入力多出力
ＺＦ  ゼロフォース
【０１２１】
略語は３ＧＰＰの使用法に従うものとみなされ得る。 
【図１】
2021501498.tif 000003
【図２】
2021501498.tif 000004
【図３】
2021501498.tif 000005
【図４】
2021501498.tif 000006
【図５】
2021501498.tif 000007
【国際調査報告】
2021501498.tif 000008
2021501498.tif 000009